(57)【特許請求の範囲】
【請求項１】
コンピュータ装置からなる端末制御装置と、
前記端末制御装置に第１のＬＡＮケーブルを介して接続される直流電力給電装置と、
前記直流電力給電装置に第２のＬＡＮケーブルを介して接続される受電側装置と、
前記受電側装置に給電線を介して接続されるＬＥＤ照明装置とを備え、
前記端末制御装置は、前記ＬＥＤ照明装置に所定の照明動作を実行させるための所定の制御信号を出力する機能を実現する制御信号出力手段を含み、
前記直流電力給電装置は、前記第１のＬＡＮケーブルを介して前記端末制御装置の制御信号出力手段からの制御信号を受信し、前記第２のＬＡＮケーブルを介して前記受電側装置に直流電力を給電すると共に、当該第２のＬＡＮケーブルを介して前記受電側装置に前記端末制御装置の制御信号出力手段からの前記制御信号を中継して送信する信号・電力送受装置からなり、
前記受電側装置は、前記第２のＬＡＮケーブルを介して前記信号・電力送受装置から受信した前記制御信号に基づき、前記給電線を介して、前記ＬＥＤ照明装置に前記制御信号に応じた所定の照明態様の動作を実行させるための制御状態の直流電力を給電する機能を実現する受電制御手段を含むことを特徴とするＬＥＤ照明装置の照明制御システム。
【請求項２】
前記受電側装置は、当該受電側装置に接続する前記ＬＥＤ照明装置に固有の一意のアドレス情報を格納する受電制御装置を含み、複数の前記受電側装置が、１台の前記信号・電力送受装置に、対応する複数の前記第２のＬＡＮケーブルを介してそれぞれ接続し、
前記端末制御装置は、前記制御信号として、前記複数の受電側装置の各々の受電制御装置に格納したアドレス情報に基づき、前記複数の受電側装置の各々に対応して個別の制御信号を出力し、
前記信号・電力送受装置は、前記端末制御装置から送信された前記個別の制御信号を解析して、当該個別の制御信号の宛先となる受電側装置をそれぞれ検出し、検出した宛先となる受電側装置の受電制御装置にのみ対応する個別の制御信号を送信することを特徴とする請求項１記載のＬＥＤ照明装置の照明制御システム。
【請求項３】
前記信号・電力送受装置は、
前記端末制御装置に前記第１のＬＡＮケーブルを介して接続され、前記第１のＬＡＮケーブルを介して前記端末制御装置からの制御信号を受信して、前記第２のＬＡＮケーブルを介して前記受電側装置に前記制御信号を送信するＬＡＮスイッチと、
給電装置に接続され、前記給電装置からの直流電力を受電して、前記第２のＬＡＮケーブルを介して前記受電側装置に前記直流電力を給電すると共に、第３のＬＡＮケーブルを介して前記ＬＡＮスイッチに接続され、前記ＬＡＮスイッチを介した前記端末制御装置からの制御信号を、前記第３のＬＡＮケーブルを介して受信すると共に、前記第２のＬＡＮケーブルを介して前記受電側装置に送信する給電側装置とを含み、
前記受電側装置は、当該受電側装置を一意に識別するアドレス情報を格納すると共に、複数の当該受電側装置が、１台の前記給電側装置に、対応する複数の前記第２のＬＡＮケーブルを介して接続し、
前記端末制御装置は、前記制御信号として、前記複数の受電側装置の各々に格納したアドレス情報に基づき、前記複数の受電側装置の各々に対応して個別の制御信号を出力し、
前記ＬＡＮスイッチ又は前記給電側装置のいずれかが、前記端末制御装置から送信された前記個別の制御信号を解析して、当該個別の制御信号の宛先となる受電側装置をそれぞれ検出し、検出した宛先となる受電側装置にのみ対応する個別の制御信号を送信すると共に、当該検出した受電側装置にのみ給電を行うことを特徴とする請求項１記載のＬＥＤ照明装置の照明制御システム。
【請求項４】
前記給電側装置は、前記受電側装置への前記直流電力の給電を制御する給電制御装置を含み、
前記給電制御装置は、前記個別の制御信号の宛先となる受電側装置の検出動作、検出した受電側装置への給電動作、及び、当該受電側装置への給電遮断動作を制御することを特徴とする請求項３記載のＬＥＤ照明装置の照明制御システム。
【請求項５】
前記複数の受電側装置は、各々、前記信号・電力送受装置を介して、前記給電装置からの前記直流電力の給電を受け、当該直流電力を前記給電線を介して前記ＬＥＤ照明装置に供給すると共に、前記端末制御装置との間で前記制御信号の送受信を行い、前記制御信号に基づき、前記端末制御装置からの指令にしたがって前記ＬＥＤ照明装置の照明制御を実行する受電制御装置を含み、
前記受電制御装置は、主制御部、アドレス部、ＯＮ／ＯＦＦ部、照明態様制御部、ＤＣ／ＤＣ昇圧部、及び、定電流制御部を含み、
前記主制御部は、前記端末制御装置からの制御信号に基づいて、前記ＯＮ／ＯＦＦ部に対するオン／オフ指令、前記照明態様制御部に対する所定の照明制御指令をそれぞれ出力し、
前記アドレス部は、前記受電側装置を一意に識別するアドレス情報を格納し、
前記ＯＮ／ＯＦＦ部は、前記主制御部の指令を受けて、前記信号・電力送受装置からの前記ＬＥＤ照明装置用の給電を、選択的にオン又はオフし、
前記照明態様制御部は、前記主制御部の指令を受けて、前記ＬＥＤ照明装置を所定の照明態様で発光するよう制御し、
前記ＤＣ／ＤＣ昇圧部は、前記信号・電力送受装置から伝送された前記直流電力の所定の直流電圧を、前記ＬＥＤ照明装置の前記所定の照明態様での点灯動作に要求される所定電圧値の直流電圧へと昇圧し、
前記定電流制御部は、前記ＤＣ／ＤＣ昇圧部により昇圧した直流電流を、前記ＬＥＤ照明装置の前記所定の照明態様での点灯動作に要求される所定電流値の定電流となるよう制御し、
前記ＤＣ／ＤＣ昇圧部による昇圧動作、及び、前記定電流制御部による定電流制御動作は、前記ＯＮ／ＯＦＦ部によるオン動作があって、初めて開始及び実行されることを特徴とする請求項３記載のＬＥＤ照明装置の照明制御システム。
【請求項６】
更に、給電装置を備え、
前記給電装置は、前記信号・電力送受装置に対して、電圧値が２４Ｖ、電流値が１．６Ａの大容量直流電力を給電し、
前記信号・電力送受装置は、前記受電側装置に対して、電圧値が２４Ｖ、電流値が１．６Ａの当該大容量直流電力を給電し、
前記第２のＬＡＮケーブルは、前記信号・電力送受装置から前記受電側装置への前記大容量の直流電力の給電を可能とするカテゴリー６のＬＡＮケーブル又はカテゴリー６相当のＬＡＮケーブルからなることを特徴とする請求項１記載のＬＥＤ照明装置の照明制御システム。
【請求項７】
コンピュータ装置からなる端末制御装置と、
前記端末制御装置に第１のＬＡＮケーブルを介して接続される直流電力給電装置と、
前記直流電力給電装置に複数の第２のＬＡＮケーブルを介して接続される複数の受電側装置と、
前記複数の受電側装置の各々に給電線を介して接続されるＬＥＤ照明装置とを備え、
前記端末制御装置は、
ローカルエリアネットワーク用の所定の通信プロトコルを使用して、前記第１のＬＡＮケーブルを介して前記直流電力給電装置に対して信号を出力する機能を実現する通信手段と、
前記ＬＥＤ照明装置が所定の照明動作を実行するために必要な直流電力のパラメータ値及び／又は必要な処理手順を指令する照明動作指令を作成する機能を実現する照明動作指令作成手段と、
前記照明動作指令作成手段により前記照明動作指令を作成するために必要な情報を表示する照明動作指令作成用の操作画面を所定のディスプレイ装置にユーザーインタフェースとして画面表示する機能を実現する照明動作指令作成用ユーザーインタフェース手段と、
前記照明動作指令作成手段により作成した照明動作指令を前記通信手段により前記第１のＬＡＮケーブルを介して前記直流電力給電装置に伝送する機能を実現する指令伝送手段と、
前記照明動作指令作成手段により作成した複数の照明動作指令を選択自在とし、選択した照明動作指令を前記通信手段により前記第１のＬＡＮケーブルを介して前記直流電力給電装置に送信して、当該照明動作指令に応じた動作を前記直流電力給電装置に指令する機能を実現する動作指令手段とを含み、
前記直流電力給電装置は、
前記第１のＬＡＮケーブルを介して前記端末制御装置の前記指令伝送手段から伝送された前記照明動作指令を受信し、前記照明動作指令に応じた所定の照明態様で前記ＬＥＤ照明装置を照明動作するために必要な直流電力のパラメータ値及び／又は必要な処理手順からなる照明動作情報を設定して所定の記憶領域に記憶する機能を実現する照明動作情報設定手段と、
前記第１のＬＡＮケーブルを介して前記端末制御装置の前記動作指令手段から送信された前記照明動作指令を受信し、前記照明動作情報設定手段により設定記憶した前記照明動作情報のうち、当該受信した照明動作指令に対応する照明動作情報を選択して呼び出し、当該呼び出した照明動作情報に基づいて、前記受信した照明動作指令に応じた所定の照明態様で前記ＬＥＤ照明装置を照明動作するために必要な所定の電力パラメータ値を有する直流電力を、設定済み直流電力として前記第２のＬＡＮケーブルを介して前記受電側装置に供給する機能を実現する設定済み電力供給制御手段とを含み、
前記受電側装置は、それぞれ、前記直流電力給電装置から前記第２のＬＡＮケーブルを介して供給された前記設定済み直流電力を、前記所定の電力パラメータ値を変更することなく前記給電線を介して前記ＬＥＤ照明装置に供給し、前記ＬＥＤ照明装置を前記設定済み直流電力による前記照明動作指令に応じた所定の照明態様で照明動作させることを特徴とするＬＥＤ照明装置の照明制御システム。
【請求項８】
前記端末制御装置の前記照明動作指令作成手段は、前記第１のＬＡＮケーブルを介して接続する一つの前記直流電力給電装置について、当該一つの直流電力給電装置に接続可能な前記第２のＬＡＮケーブルの最大数の範囲内で、異なる種類の所定数の前記照明動作指令を作成自在であると共に、作成した当該異なる種類の所定数の照明動作指令を、それぞれ、前記一つの直流電力給電装置に接続した前記第２のＬＡＮケーブルの１本以上に割り当て自在であり、
前記端末制御装置の前記動作指令手段は、前記異なる種類の所定数の照明動作指令を前記通信手段により前記第１のＬＡＮケーブルを介して前記直流電力給電装置に送信して、当該異なる種類の所定数の照明動作指令に応じた動作を前記直流電力給電装置に指令自在であり、
前記直流電力給電装置の前記照明動作情報設定手段は、前記異なる種類の所定数の照明動作指令の各々に応じて前記照明動作情報を設定して前記記憶領域に記憶自在であり、
前記直流電力給電装置の前記設定済み電力供給制御手段は、前記端末制御装置の前記動作指令手段の動作指令に応答して、前記設定済み直流電力として、前記照明動作指令の所定数と同数の所定数の異なる設定済み直流電力を生成自在であり、当該所定数の設定済み直流電力の各々を、前記第２のＬＡＮケーブルのうち、各設定済み直流電力に対応する前記照明動作指令が割り当てられた第２のＬＡＮケーブルに選択的に供給し、各設定済み直流電力を当該選択した第２のＬＡＮケーブルを介して当該第２のＬＡＮケーブルに接続する前記受電側装置に個別に供給自在であり、これにより、前記複数の受電側装置に接続する複数の前記ＬＥＤ照明装置を、前記照明動作指令の所定数と同数の所定数の異なる照明態様で照明動作自在であることを特徴とする請求項７記載のＬＥＤ照明装置の照明制御システム。
【請求項９】
前記端末制御装置の前記照明動作指令作成手段は、前記第１のＬＡＮケーブルを介して接続する一つの前記直流電力給電装置について、当該一つの直流電力給電装置に接続した所定本数の前記第２のＬＡＮケーブルを所定数の複数のグループにグループ分けし、当該グループの数と同数の異なる種類の所定数の前記照明動作指令を作成自在であると共に、作成した当該異なる種類の所定数の照明動作指令を、それぞれ、前記所定数のグループの第２のＬＡＮケーブルに割り当て自在であり、
前記端末制御装置の前記動作指令手段は、前記異なる種類の所定数の照明動作指令を前記通信手段により前記第１のＬＡＮケーブルを介して前記直流電力給電装置に送信して、当該異なる種類の所定数の照明動作指令に応じた動作を前記直流電力給電装置に指令自在であり、
前記直流電力給電装置の前記照明動作情報設定手段は、前記異なる種類の所定数の照明動作指令の各々に応じて前記照明動作情報を設定して前記記憶領域に記憶自在であり、
前記直流電力給電装置の前記設定済み電力供給制御手段は、前記設定済み直流電力として、前記照明動作指令の所定数と同一の所定数の異なる設定済み直流電力を生成自在であり、当該所定数の設定済み直流電力の各々を、前記第２のＬＡＮケーブルのうち、各設定済み直流電力に対応する前記照明動作指令が割り当てられた前記グループの第２のＬＡＮケーブルに選択的に供給し、各設定済み直流電力を当該選択した前記グループの第２のＬＡＮケーブルを介して当該グループの第２のＬＡＮケーブルに接続する前記受電側装置に個別に供給自在であり、これにより、前記複数の受電側装置に接続する複数の前記ＬＥＤ照明装置を、前記第２のＬＡＮケーブルのグループ毎に分割して、前記照明動作指令の所定数と同一の所定数の異なる照明態様で照明動作自在であることを特徴とする請求項７記載のＬＥＤ照明装置の照明制御システム。
【請求項１０】
更に、建築物の壁面に設置した壁面スイッチを備え、
前記壁面スイッチは、制御基板と、前記制御基板に実装したＬＡＮポートと、前記制御基板に実装した動作ボタンとを備え、前記動作ボタンの各々を所定の動作態様で動作させることにより生成される動作信号を、前記ＬＡＮポートに接続した第３のＬＡＮケーブルを介して、前記直流電力給電装置に入力自在であり、
前記端末制御装置の前記照明動作指令作成手段は、前記照明動作指令として、前記壁面スイッチの動作ボタンごとに異なる種類の所定数の照明動作指令を作成自在であると共に、作成した当該異なる種類の所定数の照明動作指令を、それぞれ、前記壁面スイッチの動作ボタンの所定の動作態様に割り当て自在であり、
前記端末制御装置の前記動作指令手段は、前記異なる種類の所定数の照明動作指令を前記通信手段により前記第１のＬＡＮケーブルを介して前記直流電力給電装置に送信して、当該異なる種類の所定数の照明動作指令に応じた動作を前記直流電力給電装置に指令自在であり、
前記直流電力給電装置の前記照明動作情報設定手段は、前記壁面スイッチの動作ボタン毎に割り当てられた前記異なる種類の所定数の照明動作指令の各々に応じて、前記照明動作情報を設定して前記記憶領域に記憶自在であり、
前記直流電力給電装置の前記設定済み電力供給制御手段は、前記壁面スイッチの動作ボタンを選択的に所定の動作態様で動作させることにより、当該壁面スイッチの動作ボタンの動作態様に応じて、前記設定済み直流電力として、前記照明動作指令の所定数と同数の所定数の異なる設定済み直流電力のうち、当該動作ボタンの動作態様に対応する設定済み直流電力を生成自在であり、当該設定済み直流電力を、前記第２のＬＡＮケーブルのうち、前記動作ボタンの動作態様に対応する所定の第２のＬＡＮケーブルに選択的に供給し、各設定済み直流電力を当該選択した第２のＬＡＮケーブルを介して当該第２のＬＡＮケーブルに接続する前記受電側装置に個別に供給自在であることを特徴とする請求項７記載のＬＥＤ照明装置の照明制御システム。
【請求項１１】
前記壁面スイッチのＬＡＮポートは複数設けられ、当該ＬＡＮポートの数に対応する複数の壁面スイッチを並列的に壁面に接続すると共に、当該複数の壁面スイッチを各々の前記複数のＬＡＮポートのうちの一つのＬＡＮポートを介して第４のＬＡＮケーブルによりカスケード接続し、かつ、前記複数の壁面スイッチを、それぞれ、一つの前記直流電力給電装置に前記第３のＬＡＮケーブルを介して接続したことを特徴とする請求項１０記載のＬＥＤ照明装置の照明制御システム。
【発明の詳細な説明】
【技術分野】
【０００１】
本発明は、屋内等に配置したＬＥＤ照明装置を所定の制御態様で照明動作制御する（例えば、複数のＬＥＤ照明装置を配設した照明ゾーンごとに照明動作制御したり、ＬＥＤ照明装置を個別に照明動作制御したりする）ためのＬＥＤ照明装置の照明制御システムに関する。
【背景技術】
【０００２】
近年、省エネルギーや環境負荷低減等の要請に応えるべく、照明器具として、従来の白熱電球や蛍光灯に代えて、発光ダイオードを光源として利用したＬＥＤ照明装置が提案されている。このＬＥＤ照明装置は、長寿命、高信頼性、低消費電力、低発熱性、拘束応答性、直流低電圧駆動等、従来の照明装置にない特徴を備えており、今後、ますます照明装置として普及することが予想される。ここで、照明器具は、屋内の壁面等に配設した操作スイッチによりオン／オフの動作制御が行われる。また、照明器具の動作制御としては、特に省エネルギーの要請に応えるべく、使用者の入室時に照明器具をオンする（退室時にオフする）カード制御やセンサー制御、照明空間の明るさを検知して自動点灯・消灯する明るさ検知、照明空間を適度な明るさに調節する適正照度制御、照明空間の使用スケジュールに応じて照明器具をオン・オフするタイムスケジュール制御、照明空間に入射する自然光の照度に応じて照明器具の照度を調節する昼光利用制御、照明空間の全照明器具の一部のグループのみを点灯・消灯するグループ制御、或いは、特定のパターンで点灯・消灯するパターン制御（合せて「ゾーニング制御」と呼ばれる）が提案されている。例えば、オフィスビル等の大面積の照明空間については、多数の照明器具が天井面に配設されるため、ゾーニング制御により、当該多数の照明器具を照明空間の区画ごとに分割して動作制御することがある。なお、ＬＥＤ照明装置に適用されるものではないが、蛍光灯等の一般的な照明装置に適用される発明であって、上記のようなゾーニング制御に関する発明として、例えば、特許文献１に記載の技術がある。
【０００３】
特許文献１には、主にオフィスビルの執務室（居室）において、オフィスレイアウト（間仕切り、デスクレイアウト等）に応じて最も適した天井照明を構成できるようにした天井照明装置が開示されている。この天井照明装置は、居室の天井に設置され、居室内を照らす複数個の照明器具と、居室の天井に連続して設置され、天井パネルや天井内にある空調吹出口ユニットを支持し、かつ、照明器具を保持する複数本のライテングダクトと、照明器具のそれぞれに内蔵され、照明器具の点燈及び消燈を予め設定する点滅リレーユニットと、ライテングダクトにその長手方向に連続して設けられ、照明器具に電力を供給する電力用電極及び点滅リレーユニットに点滅信号を送信する信号用電極とを備えて構成されている（同文献の請求項１）。点滅リレーユニットは、照明器具の電源スイッチに連動して作動し、蛍光灯等の照明器具への電力の供給及び停止をコントロールして照明器具毎に点燈及び消燈を予め設定できるものである。そして、この天井照明装置では、点滅リレーユニットにおいて個々の照明器具の点燈及び消燈を予め設定することにより、ある電源スイッチによって点燈する照明器具の位置、種類等（スイッチゾーニング）を自由に設定することができ、また、一度設定されたスイッチゾーニングを自由に変更できる、とされている。即ち、この天井照明装置では、上記構成により、各照明器具に内蔵された点滅リレーユニットにおいて、各照明器具の点燈を及び消燈を予め設定しておくことで、特定の電源スイッチを入れると、予め設定された位置の照明器具だけが点燈するようになっている。
【先行技術文献】
【特許文献】
【０００４】
【特許文献１】特開平７−２９２８３７号公報
【発明の概要】
【発明が解決しようとする課題】
【０００５】
しかし、特許文献１に記載の天井照明装置は、上記のようなスイッチゾーニングの設定及び変更によって、所望の位置や種類の照明器具を任意に点灯・消灯制御することを可能にするものの、その点灯制御のために点滅リレースイッチといったアナログ電気機器を使用するため、点灯制御の種類や自由度には当該アナログ電気機器特有の制限があり、複雑な照明制御は困難であると考えられる。また、特許文献１の発明では、スイッチゾーニングの設定をある特定の位置及び種類の照明器具を点灯・消灯する設定としたり、当該設定から別の設定に変更したりする場合、そのたびに、必要な組み合わせの点滅リレースイッチを選択してアナログ的に切り替えることになり、所望の点灯制御を得るため設定作業や設定変更作業が煩雑となることも考えられる。ここで、特許文献１の発明の適用対象でもある従来の照明器具は、１００Ｖ（又は２００Ｖ）の交流電源で動作するため、配線工事を伴う設置や変更等の施工については、主に保安上の要請から、法令に基づく所定の資格（典型的には、電気工事士法により規定された電気工事士）を有する専門技術者のみに許されており、例えば、建築工事において大工等の無資格者が施工することはできない。なお、特許文献１の発明も各種の配線工事を伴う電気工事により設置されるため、当然、有資格者のみが施工することができ、それ以外の者が施工することは許されていない。しかし、照明器具等の電気器具を設置する工事のうち、法令による制限を受けずに有資格者でない者が施工できるもの（いわゆる「軽微な工事」とよばれるもの）も認められており、このような軽微な工事或いは当該軽微な工事と同等の（無資格者でも工事が認められる）工事（本願書類中において、これらを総称して、単に、「軽微な工事」という。）によって照明器具を従来の照明器具の代わりに設置できるようにすると共に、当該照明器具を簡単な操作で、かつ、多種多様な態様で点灯制御することができるようにすれば、市場に新たなコンセプトの照明システムを提供できることになり、消費者の便宜や使い勝手等を大幅に向上できるものと考えられる。
【０００６】
そこで、本発明は、所望の照明制御のための設定作業や当該設定の変更作業をコンピュータ装置による簡単な操作で行うことができ、また、点灯制御態様の種類や数を従来よりも大幅に増加することができ、更に、有資格者以外の者であっても軽微な電気工事によってＬＥＤ照明装置を屋内外の照明空間に簡易に設置したり設置変更したりすることができるＬＥＤ照明装置の照明制御システムの提供を課題とする。
【課題を解決するための手段】
【０００７】
請求項１に係るＬＥＤ照明装置の照明制御システムは、直流電力を供給する給電装置と、コンピュータ装置からなる端末制御装置と、前記給電装置に第１の給電線を介して接続されると共に、前記端末制御装置に第１のＬＡＮケーブルを介して接続される直流電力給電装置と、前記直流電力給電装置に第２のＬＡＮケーブルを介して接続される受電側装置と、前記受電側装置に給電線を介して接続されるＬＥＤ照明装置とを備える。前記端末制御装置は、前記ＬＥＤ照明装置に所定の照明動作を実行させるための所定の制御信号を出力する機能を実現する制御信号出力手段を含む。前記直流電力給電装置は、前記第１の給電線を介して前記給電装置からの直流電力を受電すると共に、前記第１のＬＡＮケーブルを介して前記端末制御装置の制御信号出力手段からの制御信号を受信し、前記第２のＬＡＮケーブルを介して前記受電側装置に直流電力を給電すると共に、当該第２のＬＡＮケーブルを介して前記受電側装置に前記端末制御装置の制御信号出力手段からの前記制御信号を中継して送信する信号・電力送受装置からなる。前記受電側装置は、前記第２のＬＡＮケーブルを介して前記信号・電力送受装置から受信した前記制御信号に基づき、前記給電線を介して、前記ＬＥＤ照明装置に前記制御信号に応じた所定の照明態様の動作を実行させるための制御状態の直流電力を給電する機能を実現する受電制御手段を含む。ここで、本発明では、前記信号・電力送受装置は、スイッチングハブ又はリピーターハブからなるＬＡＮ用ハブに対応する信号送受手段又は信号送受装置と、ミッドスパン型のＰＳＥに対応する電力送受手段又は電力送受装置としての給電側装置とを別個に設けてＬＡＮケーブルで接続した別体構成タイプとしたり、スイッチングハブ又はリピーターハブからなるＬＡＮ用ハブに対応する信号送受手段又は信号送受装置を、前記（電力送受手段又は電力送受装置としての）給電側装置と共に内蔵して一体化した（エンドポイント型のＰＳＥに対応する）一体構成タイプとしたりすることができる。
【０００８】
請求項２に係るＬＥＤ照明装置の照明制御システムは、請求項１の構成において、前記受電側装置が、当該受電側装置に接続する前記ＬＥＤ照明装置に固有の一意のアドレス情報を格納する受電制御装置を含み、複数の前記受電側装置が、１台の前記信号・電力送受装置に、対応する複数の前記第２のＬＡＮケーブルを介してそれぞれ接続している。前記端末制御装置は、前記制御信号として、前記複数の受電側装置の各々の受電制御装置に格納したアドレス情報に基づき、前記複数の受電側装置の各々に対応して個別の制御信号を出力する。前記信号・電力送受装置は、前記端末制御装置から送信された前記個別の制御信号を解析して、当該個別の制御信号の宛先となる受電側装置をそれぞれ検出し、検出した宛先となる受電側装置の受電制御装置にのみ対応する個別の制御信号を送信する。
【０００９】
請求項３に係るＬＥＤ照明装置の照明制御システムは、請求項１の構成において、前記信号・電力送受装置がＬＡＮスイッチと給電側装置とを含む。ＬＡＮスイッチは、前記端末制御装置に前記第１のＬＡＮケーブルを介して接続され、前記第１のＬＡＮケーブルを介して前記端末制御装置からの制御信号を受信して、前記第２のＬＡＮケーブルを介して前記受電側装置に前記制御信号を送信する。給電側装置は、給電装置に接続され、前記給電装置からの直流電力を受電して、前記第２のＬＡＮケーブルを介して前記受電側装置に前記直流電力を給電すると共に、第３のＬＡＮケーブルを介して前記ＬＡＮスイッチに接続され、前記ＬＡＮスイッチを介した前記端末制御装置からの制御信号を、前記第３のＬＡＮケーブルを介して受信すると共に、前記第２のＬＡＮケーブルを介して前記受電側装置に送信する。前記受電側装置は、当該受電側装置を一意に識別するアドレス情報を格納すると共に、複数の当該受電側装置が、１台の前記給電側装置に、対応する複数の前記第２のＬＡＮケーブルを介して接続している。前記端末制御装置は、前記制御信号として、前記複数の受電側装置の各々に格納したアドレス情報に基づき、前記複数の受電側装置の各々に対応して個別の制御信号を出力する。前記ＬＡＮスイッチ又は前記給電側装置のいずれかが、前記端末制御装置から送信された前記個別の制御信号を解析して、当該個別の制御信号の宛先となる受電側装置をそれぞれ検出し、検出した宛先となる受電側装置にのみ対応する個別の制御信号を送信すると共に、当該検出した受電側装置にのみ給電を行う。
【００１０】
請求項４に係るＬＥＤ照明装置の照明制御システムは、請求項３の構成において、前記給電側装置が、前記受電側装置への前記直流電力の給電を制御する給電制御装置を含む。前記給電制御装置は、前記個別の制御信号の宛先となる受電側装置の検出動作、検出した受電側装置への給電動作、及び、当該受電側装置への給電遮断動作を制御する。
【００１１】
請求項５に係るＬＥＤ照明装置の照明制御システムは、請求項３の構成において、前記複数の受電側装置が、各々、前記信号・電力送受装置を介して、前記給電装置からの前記直流電力の給電を受け、当該直流電力を前記給電線を介して前記ＬＥＤ照明装置に供給すると共に、前記端末制御装置との間で前記制御信号の送受信を行い、前記制御信号に基づき、前記端末制御装置からの指令にしたがって前記ＬＥＤ照明装置の照明制御を実行する受電制御装置を含む。前記受電制御装置は、主制御部、アドレス部、ＯＮ／ＯＦＦ部、照明態様制御部、ＤＣ／ＤＣ昇圧部、及び、定電流制御部を含む。前記主制御部は、前記端末制御装置からの制御信号に基づいて、前記ＯＮ／ＯＦＦ部に対するオン／オフ指令、前記照明態様制御部に対する所定の照明制御指令をそれぞれ出力する。前記アドレス部は、前記受電側装置を一意に識別するアドレス情報を格納する。前記ＯＮ／ＯＦＦ部は、前記主制御部の指令を受けて、前記信号・電力送受装置からの前記ＬＥＤ照明装置用の給電を、選択的にオン又はオフする。前記照明態様制御部は、前記主制御部の指令を受けて、前記ＬＥＤ照明装置を所定の照明態様で発光するよう制御する。前記ＤＣ／ＤＣ昇圧部は、前記信号・電力送受装置から伝送された前記直流電力の所定の直流電圧を、前記ＬＥＤ照明装置の前記所定の照明態様での点灯動作に要求される所定電圧値の直流電圧へと昇圧する。前記定電流制御部は、前記ＤＣ／ＤＣ昇圧部により昇圧した直流電流を、前記ＬＥＤ照明装置の前記所定の照明態様での点灯動作に要求される所定電流値の定電流となるよう制御する。前記ＤＣ／ＤＣ昇圧部による昇圧動作、及び、前記定電流制御部による定電流制御動作は、前記ＯＮ／ＯＦＦ部によるオン動作があって、初めて開始及び実行される。
【００１２】
請求項６に係るＬＥＤ照明装置の照明制御システムは、請求項１の構成において、更に、給電装置を備え、前記給電装置が、前記信号・電力送受装置に対して、電圧値が２４Ｖ、電流値が１．６Ａの大容量直流電力を給電する。また、前記信号・電力送受装置は、前記受電側装置に対して、電圧値が２４Ｖ、電流値が１．６Ａの当該大容量直流電力を給電する。前記第２のＬＡＮケーブルは、前記信号・電力送受装置から前記受電側装置への前記大容量の直流電力の給電を可能とするカテゴリー６のＬＡＮケーブル又はカテゴリー６相当のＬＡＮケーブルからなる。
【００１３】
請求項７に係るＬＥＤ照明装置の照明制御システムでは、端末制御装置は、各種の機能実現手段を備え、各機能実現手段は、ＣＰＵ等の中央処理装置、ＲＯＭ及びＲＡＭ等の記憶装置（メモリー）等からなるハードウエア資源と、記憶装置に記憶したプログラムからなるソフトウエ資源との協働により機能を実現する機能実現手段として構成することができる。詳細には、端末制御装置は、ローカルエリアネットワーク用の所定の通信プロトコル（典型的にはｈｔｔｐ）を使用して、前記第１のＬＡＮケーブルを介して前記（設定済み）直流電力給電装置に対して信号を出力する機能を実現する通信手段を備える。この通信手段は、例えば、通信用インタフェース装置等のハードウエア資源や通信用プログラム等のソフトウエア資源からなる通信手段又は信号伝送手段とすることができる。また、端末制御装置は、ＬＥＤ照明装置が所定の照明動作を実行するために必要な直流電力のパラメータ値及び／又は必要な処理手順を指令する照明動作指令を作成する機能を実現する照明動作指令作成手段を備える。この照明動作指令作成手段は、例えば、端末制御装置の記憶装置の所定の記憶領域に格納した所定の指令作成手順を記述したプログラムからなるソフトウエア資源と、端末制御装置の中央処理装置や記憶装置等のハードウエア資源とから構成することができる。
【００１４】
また、請求項７に係るＬＥＤ照明装置の照明制御システムは、端末制御手段は、前記照明動作指令作成手段により前記照明動作指令を作成するために必要な情報を表示する照明動作指令作成用の操作画面を所定のディスプレイ装置にユーザーインタフェースとして画面表示する機能を実現する照明動作指令作成用ユーザーインタフェース手段を備える。前記操作画面に表示する情報としては、コマンドメニューや、（ハードウエアとしての）壁面スイッチや壁面スイッチのボタンや給電側装置の給電ポートに対応する（クリック等の選択動作自在なソフトウエアとしての）ボタン類、それらのタイトル、それらの選択状況等を表示する表示部等がある。また、ユーザーインタフェース（ＵＩ）は、特に、グラフィカルユーザーインタフェース（ＧＵＩ）とすることが好ましい。前記照明動作作成用ユーザーインタフェース手段は、例えば、端末制御装置の記憶装置の所定の記憶領域に格納した予め作成した（動的ウエブページを含むウエブページ等のウエブコンテンツからなる）指令作成用ユーザーインタフェースや指令作成用ユーザーインタフェースの表示手順を記述したプログラム等からなるソフトウエア資源と、端末制御装置の中央処理装置や記憶装置等のハードウエア資源とから構成することができる。
【００１５】
請求項８に係るＬＥＤ照明装置の照明制御システムは、請求項７の構成において、端末制御装置は、照明動作指令作成手段により作成した照明動作指令を通信手段により第１のＬＡＮケーブルを介して直流電力給電装置に伝送する機能を実現する指令伝送手段を備える。指令伝送手段は、例えば、端末制御装置の記憶装置の所定の記憶領域に格納した、照明動作指令に対応する選択項目を表示してユーザーによる選択操作を自在とする（動的ウエブページを含むウエブページ等のウエブコンテンツからなる）指令送信用ユーザーインタフェースと、指令送信用ユーザーインタフェースの表示手順を記述したプログラムとからなるソフトウエア資源と、端末制御装置の中央処理装置や記憶装置等のハードウエア資源とから構成することができる。また、端末制御装置は、照明動作指令作成手段により作成した複数の照明動作指令（のうちのいずれか一つ以上）を選択自在とし、選択した照明動作指令を通信手段により第１のＬＡＮケーブルを介して前記直流電力給電装置に送信して、当該照明動作指令に応じた動作（動作開始）を直流電力給電装置に指令する機能を実現する動作指令手段を備える。動作指令手段は、例えば、端末制御装置の記憶装置の所定の記憶領域に格納した、前記照明動作指令に対応する選択項目を表示してユーザーによる選択操作を自在とする（動的ウエブページを含むウエブページ等のウエブコンテンツからなる）指令送信用ユーザーインタフェースと、指令送信用ユーザーインタフェースの表示手順を記述したプログラムとからなるソフトウエア資源と、端末制御装置の中央処理装置や記憶装置等のハードウエア資源と、前記通信手段等とから構成することができる。なお、前記操作画面は上記実施の形態で述べたＷＥＢ画面５２０に相当するＷＥＢ画面からなる。
【００１６】
直流電力給電装置は、第１のＬＡＮケーブルを介して端末制御装置の前記指令伝送手段から伝送された前記照明動作指令（制御信号としての指令乃至コマンド信号）を受信し、照明動作指令に応じた所定の照明態様でＬＥＤ照明装置を照明動作するために必要な直流電力のパラメータ値及び／又は必要な処理手順からなる照明動作情報を設定して所定の記憶領域に記憶する機能を実現する照明動作情報設定手段を備える。照明動作情報設定手段は、典型的には、給電制御装置２３０の主制御部２３１及び設定記憶部２３２からなるハードウエア資源及びソフトウエア資源から構成することができる。また、直流電力給電装置は、第１のＬＡＮケーブルを介して端末制御装置の動作指令手段から送信された照明動作指令を受信し、照明動作情報設定手段により設定記憶した照明動作情報のうち、当該受信した照明動作指令に対応する照明動作情報を選択して呼び出し、当該呼び出した照明動作情報に基づいて、受信した照明動作指令に応じた所定の照明態様でＬＥＤ照明装置を照明動作するために必要な所定の電力パラメータ値を有する直流電力を、設定済み直流電力として前記第２のＬＡＮケーブルを介して前記受電側装置に供給する機能を実現する設定済み電力供給制御手段を備える。設定済み電力供給制御手段は、例えば、ＬＥＤ電源装置からの直流電力を当該設定済み直流電力に変換して受電側装置に供給するものであり、典型的には、給電制御装置２３０の主制御部２３１及び設定記憶部２３２と、電圧制御部２３３、電圧検出部２３４、電流検出部２３５、ＯＮ／ＯＦＦ部２３６、調光部２３７、照明態様制御部２３８、定電流制御部２３９からなるハードウエア資源及びソフトウエア資源から構成することができる。
【００１７】
受信側装置は、それぞれ、前記直流電力給電装置から前記第２のＬＡＮケーブルを介して供給された前記設定済み直流電力を、前記所定の電力パラメータ値を変更することなく（即ち、内部抵抗や寄生抵抗等による内部損失等を除いて、電圧値や電流値等の変更を実質的に行うことなく、即ち、そのような目的の電気・電子素子やその他の制御素子を設けることなく）前記給電線を介して前記ＬＥＤ照明装置に供給し、前記ＬＥＤ照明装置を前記設定済み直流電力による前記照明動作指令に応じた所定の照明態様で照明動作させる。
【００１８】
請求項９に係るＬＥＤ照明装置の照明制御システムは、請求項７の構成において、端末制御装置の前記照明動作指令作成手段は、第１のＬＡＮケーブルを介して接続する一つの前記直流電力給電装置について、当該一つの直流電力給電装置に接続可能な第２のＬＡＮケーブルの最大数（ＬＡＮケーブルの最大本数、即ち、最大ポート数）の範囲内で、異なる種類の所定数の（ＬＡＮケーブルの最大本数までの範囲内の所定数（単数又は複数）の）照明動作指令を作成自在であると共に、作成した当該異なる種類の所定数の照明動作指令を、それぞれ、一つの直流電力給電装置に接続した第２のＬＡＮケーブルの１本以上に割り当て自在である。また、前記端末制御装置の前記動作指令手段は、異なる種類の所定数の照明動作指令を通信手段により第１のＬＡＮケーブルを介して直流電力給電装置に送信して、当該異なる種類の所定数の照明動作指令に応じた動作を直流電力給電装置に指令自在である。また、直流電力給電装置の前記照明動作情報設定手段は、（前記端末制御装置の照明動作指令作成手段が作成した）異なる種類の所定数の照明動作指令の各々に応じて照明動作情報を設定して前記記憶領域に記憶自在である。また、直流電力給電装置の設定済み電力供給制御手段は、端末制御装置の前記動作指令手段の動作指令に応答して、設定済み直流電力として、照明動作指令の所定数と同数の所定数の異なる設定済み直流電力を生成自在であり、当該所定数の設定済み直流電力の各々を、第２のＬＡＮケーブルのうち、各設定済み直流電力に対応する照明動作指令が割り当てられた第２のＬＡＮケーブルに選択的に供給し、各設定済み直流電力を当該選択した第２のＬＡＮケーブルを介して当該第２のＬＡＮケーブルに接続する受電側装置に個別に供給自在であり、これにより、複数の受電側装置に接続する複数のＬＥＤ照明装置を、照明動作指令の所定数と同数の所定数の異なる照明態様で照明動作自在である。この構成により、ＬＥＤ照明装置を、ユニット単位、グループ単に、個別単位等の任意の単位で、多様な照明動作を行わせることができ、照明態様のバリエーションを大幅に増加することができる。
【００１９】
請求項１０に係るＬＥＤ照明装置の照明制御システムは、請求項７の構成において、更に、建築物の壁面に設置した壁面スイッチを備る。前記壁面スイッチは、制御基板と、前記制御基板に実装したＬＡＮポートと、前記制御基板に実装した動作ボタンとを備え、前記動作ボタンの各々を所定の動作態様で動作させることにより生成される動作信号を、前記ＬＡＮポートに接続した第３のＬＡＮケーブルを介して、前記直流電力給電装置に入力自在である。前記端末制御装置の前記照明動作指令作成手段は、前記照明動作指令として、前記壁面スイッチの動作ボタンごとに異なる種類の所定数の照明動作指令を作成自在であると共に、作成した当該異なる種類の所定数の照明動作指令を、それぞれ、前記壁面スイッチの動作ボタンの所定の動作態様に割り当て自在である。前記端末制御装置の前記動作指令手段は、前記異なる種類の所定数の照明動作指令を前記通信手段により前記第１のＬＡＮケーブルを介して前記直流電力給電装置に送信して、当該異なる種類の所定数の照明動作指令に応じた動作を前記直流電力給電装置に指令自在である。前記直流電力給電装置の前記照明動作情報設定手段は、前記壁面スイッチの動作ボタン毎に割り当てられた前記異なる種類の所定数の照明動作指令の各々に応じて、前記照明動作情報を設定して前記記憶領域に記憶自在である。前記直流電力給電装置の前記設定済み電力供給制御手段は、前記壁面スイッチの動作ボタンを選択的に所定の動作態様で動作させることにより、当該壁面スイッチの動作ボタンの動作態様に応じて、前記設定済み直流電力として、前記照明動作指令の所定数と同数の所定数の異なる設定済み直流電力のうち、当該動作ボタンの動作態様に対応する設定済み直流電力を生成自在であり、当該設定済み直流電力を、前記第２のＬＡＮケーブルのうち、前記動作ボタンの動作態様に対応する所定の第２のＬＡＮケーブルに選択的に供給し、各設定済み直流電力を当該選択した第２のＬＡＮケーブルを介して当該第２のＬＡＮケーブルに接続する前記受電側装置に個別に供給自在である。
【００２０】
請求項１１に係るＬＥＤ照明装置の照明制御システムは、請求項１０の構成において、前記壁面スイッチのＬＡＮポートは複数設けられ、当該ＬＡＮポートの数に対応する複数の壁面スイッチを並列的に壁面に接続すると共に、当該複数の壁面スイッチを各々の前記複数のＬＡＮポートのうちの一つのＬＡＮポートを介して第４のＬＡＮケーブルによりカスケード接続し、かつ、前記複数の壁面スイッチを、それぞれ、一つの前記直流電力給電装置に前記第３のＬＡＮケーブルを介して接続している。
【発明の効果】
【００２１】
請求項１に係るＬＥＤ照明装置の照明制御システムは、所望の照明制御のための設定作業や当該設定の変更作業をコンピュータ装置による簡単な操作で行うことができる。
【００２２】
請求項２に係るＬＥＤ照明装置の照明制御システムは、請求項１の効果に加え、１台の端末制御装置によって、多数の受電制御装置のアドレス情報を個別に識別し、受電制御装置に接続したＬＥＤ照明装置の照明空間での配設位置に応じて、個別の配設位置のＬＥＤ照明装置を個別の照明態様で照明制御することができる。
【００２３】
請求項３に係るＬＥＤ照明装置の照明制御システムは、請求項１の効果に加え、１台の端末制御装置によって、多数のＬＥＤ照明装置を所望のタイミングで点灯・消灯することができる。
【００２４】
請求項４に係るＬＥＤ照明装置の照明制御システムは、請求項３の効果に加え、１台の端末制御装置によって、多数のＬＥＤ照明装置を所望の照明態様で発光したりすることができる。
【００２５】
請求項５に係るＬＥＤ照明装置の照明制御システムは、請求項３の効果に加え、主制御部が、アドレス部から読み出したアドレス情報を取得して、当該アドレス情報に個別に割り当てた所定の動作態様で、対応するＬＥＤ照明装置を照明制御することができる。（段落００２９）
【００２６】
請求項６に係るＬＥＤ照明装置の照明制御システムは、請求項１の効果に加え、その設置や設置変更が、いわゆる「軽微な電気工事」に該当するため、有資格者以外のものであっても軽微な電気工事によってＬＥＤ照明装置を屋内外の照明空間に簡易に設置したり設置変更したりすることができる。
【００２７】
請求項７に係るＬＥＤ照明装置の照明制御システムは、所望の照明制御のための設定作業や当該設定の変更作業をコンピュータ装置としての端末制御装置による簡単な操作で行うことができる。また、端末制御装置の指令に基づく証明動作用の設定を直流電力給電装置を使用して簡単に行うことができ、端末制御装置による多種多様な照明動作指令を事前に設定記憶して、実際のＬＥＤ照明装置の発光駆動時に、端末制御装置からの指令に応答して迅速かつ確実に安定して、所望の照明動作を実現することができる。更に、受電側装置では制御等の動作を実行しないため、受電側装置の構成を非常に簡単かつ基本的なもの（ＬＡＮポートと給電ポートとを電気的に接続するだけの簡単な構成）とすることができ、ＬＥＤ照明装置の数だけ必要となりそのコストが全体のコストに大きな影響を及ぼす受電側装置を非常に安価に製造することができ、システム全体のコストを大幅に低減することができ、特に、多数のＬＥＤ照明装置を設置する場合のシステム全体のコストを大幅に低減することができる。
【００２８】
請求項８に係るＬＥＤ照明装置の照明制御システムは、請求項７の効果に加え、端末制御装置により、最大で、一つの直流電力給電装置に接続したＬＡＮケーブルの各々に対応する数の異なる照明動作指令を生成し、一つの直流電力給電装置に接続したＬＡＮケーブルを通じて、ＬＥＤ照明装置を一つずつ個別に異なる照明態様で照明動作させることができ、また、一つの直流電力給電装置に接続したＬＡＮケーブルを２本以上の所定本数からなるＬＡＮケーブルのグループにグループ分けして当該各グループのＬＡＮケーブルにそれぞれ異なる照明動作指令を生成し、一つの直流電力給電装置に接続したＬＡＮケーブルの各グループを通じて、ＬＥＤ照明装置を当該各グループの毎に個別に異なる照明態様で照明動作させることもでき、照明動作の態様（バリエーション）を大幅に増加することができる。
【００２９】
請求項９に係るＬＥＤ照明装置の照明制御システムは、請求項７の効果に加え、ＬＥＤ照明装置を、ユニット単位、グループ単位に、個別単位等の任意の単位で、多様な照明動作を行わせることができ、照明態様のバリエーションを大幅に増加することができる。即ち、一つの直流電力給電装置に接続したＬＡＮケーブルを１ユニットとして単一の照明動作指令を生成し、一つの直流電力給電装置に接続した全てのＬＡＮケーブルを通じて、全てのＬＥＤ照明装置を一括して同一の照明態様で照明動作させたり、２本以上の所定本数からなるＬＡＮケーブルのグループにグループ分けして当該各グループのＬＡＮケーブルにそれぞれ異なる照明動作指令を生成し、一つの直流電力給電装置に接続したＬＡＮケーブルの各グループを通じて、ＬＥＤ照明装置を当該各グループの毎に個別に異なる照明態様で照明動作させたり、一つの直流電力給電装置に接続した複数本のＬＡＮケーブルの各々に対応する数の異なる照明動作指令を生成し、一つの直流電力給電装置に接続した各ＬＡＮケーブルを通じて、ＬＥＤ照明装置を一つずつ個別に異なる照明態様で照明動作させることもでき、照明動作の態様（バリエーション）を大幅に増加することができる。
【００３０】
請求項１０に係るＬＥＤ照明装置の照明制御システムは、請求項７の効果に加え、壁面スイッチによっても、直流電力給電装置に所定の指令を出力して、当該指令に応じた照明制御動作を直流電力給電装置に行わせることができ、端末制御装置と壁面スイッチとを選択的に使用して、シチュエーションに応じて最も簡便な方法でＬＥＤ照明装置を所望の照明態様で照明動作させることができる。
【００３１】
請求項１１に係るＬＥＤ照明装置の照明制御システムは、請求項１０の効果に加え、複数の壁面スイッチをカスケード接続、例えば、２つの壁面スイッチを壁面に併設してカスケード接続し、２つの壁面スイッチの２つのＬＡＮケーブルを、１個の直流電力給電装置の２つの壁面スイッチ用のＬＡＮポートにそれぞれ接続することにより、１つの壁面スイッチに例えば１２対のＬＥＤ照明装置（例えば、直管型ＬＥＤランプ）を割りあて、１部屋に２つの壁面スイッチに割り当てたＬＥＤ照明装置（２×１２対＝２４対）を配置し、２つの壁面スイッチの（４×２＝８個の）動作ボタンのそれぞれに、異なる照明動作を割り当てることで、１部屋におけるＬＥＤ照明層ランプの照明動作のバリエーションを（１個の壁面スイッチの場合の２倍に）増やすことができる。（即ち、そのように、直流電力給電装置の制御部（ＬＥＤ照明装置制御用のＣＰＵからなる主制御部）による制御が可能となる。）
【図面の簡単な説明】
【００３２】
【図１】図１は本発明の実施の形態１に係るＬＥＤ照明装置の照明制御システムの全体構成を概略的に示す説明図である。
【図２】図２は本発明の実施の形態１に係るＬＥＤ照明装置の照明制御システムの全体構成を機能ブロックとして概略的に示すブロック図であり、信号・電力送受装置をミッドスパン型（ハブやスイッチに接続するタイプ）の選択肢Ｂ（予備対に給電するタイプ）とした場合の例を示す。
【図３】図３は本発明の実施の形態１に係るＬＥＤ照明装置の照明制御システムにおいて、信号・電力送受装置を第１の変更例に係る信号・電力送受装置に変更した場合を示す斜視図であり、信号・電力送受装置の筺体を二点鎖線で示す。
【図４】図４は本発明の実施の形態１に係るＬＥＤ照明装置の照明制御システムの全体構成を機能ブロックとして概略的に示すブロック図であり、信号・電力送受装置を、第２の変更例に係る信号・電力送受装置として、エンドポイント型（ハブやスイッチと一体化したタイプ）の選択肢Ｂ（予備対に給電するタイプ）に変更した場合を示す。
【図５】図５は本発明の実施の形態１に係るＬＥＤ照明装置の照明制御システムの一部を構成する受電側装置に内蔵した受電制御装置の内部構成を示すと共に、当該受電制御装置と信号・電力送受装置との関係を示すブロック図である。
【図６】図６は本発明の実施の形態１に係るＬＥＤ照明装置の照明制御システムにおいて、信号・電力送受装置を第３の変更例に係る信号・電力送受装置に変更した場合を示す斜視図であり、信号・電力送受装置の筺体を二点鎖線で示す。
【図７】図７は本発明の実施の形態２に係るＬＥＤ照明装置の照明制御システムの全体構成を概略的に示す説明図である。
【図８】図８は本発明の実施の形態２に係るＬＥＤ照明装置の照明制御システムの全体構成を機能ブロックとして概略的に示すブロック図であり、信号・電力送受装置をエンドポイント型の選択肢Ｂとした場合の例を示す。
【図９】図９は本発明の実施の形態２に係るＬＥＤ照明装置の照明制御システムの一部を構成する受電側装置に内蔵した受電制御装置の内部構成を示すと共に、当該受電制御装置と信号・電力送受装置との関係を示すブロック図である。
【図１０】図１０は本発明の実施の形態３に係るＬＥＤ照明装置の照明制御システムの全体構成を機能ブロックとして概略的に示すブロック図であり、信号・電力送受装置をエンドポイント型の選択肢Ａ（信号対に給電するタイプ）とした場合の例を示す。
【図１１】図１１は本発明の実施の形態４に係るＬＥＤ照明装置の照明制御システムの全体構成を概略的に示す説明図である。
【図１２】図１２は本発明の実施の形態４に係るＬＥＤ照明装置の照明制御システムの全体構成を機能ブロックとして概略的に示すブロック図であり、信号・電力送受装置をミッドスパン型（ハブやスイッチに接続するタイプ）の選択肢Ｂ（予備対に給電するタイプ）とした場合の例を示す。
【図１３】図１３は本発明の実施の形態４に係るＬＥＤ照明装置の照明制御システムの一部を構成する受電側装置に内蔵した受電制御装置の内部構成を示すと共に、当該受電制御装置と信号・電力送受装置との関係を示すブロック図である。
【図１４】図１４は本発明の実施の形態４に係るＬＥＤ照明装置の照明制御システムにおいて、信号・電力送受装置を第１の変更例に係る信号・電力送受装置に変更した場合を示す斜視図であり、信号・電力送受装置の筺体を二点鎖線で示す。
【図１５】図１５は本発明の実施の形態４に係るＬＥＤ照明装置の照明制御システムの全体構成を機能ブロックとして概略的に示すブロック図であり、信号・電力送受装置を、第２の変更例に係る信号・電力送受装置として、エンドポイント型（ハブやスイッチと一体化したタイプ）の選択肢Ｂ（予備対に給電するタイプ）に変更した場合を示す。
【図１６】図１６は本発明の実施の形態４に係るＬＥＤ照明装置の照明制御システムにおいて、信号・電力送受装置を第３の変更例に係る信号・電力送受装置に変更した場合を示す斜視図であり、信号・電力送受装置の筺体を二点鎖線で示す。
【図１７】図１７は本発明の実施の形態５に係るＬＥＤ照明装置の照明制御システムの全体構成を概略的に示す説明図である。
【図１８】図１８は本発明の実施の形態５に係るＬＥＤ照明装置の照明制御システムの全体構成を機能ブロックとして概略的に示すブロック図であり、信号・電力送受装置をエンドポイント型の選択肢Ｂとした場合の例を示す。
【図１９】図１９は本発明の実施の形態５に係るＬＥＤ照明装置の照明制御システムの一部を構成する受電側装置に内蔵した受電制御装置の内部構成を示すと共に、当該受電制御装置と信号・電力送受装置との関係を示すブロック図である。
【図２０】図２０は本発明の実施の形態６に係るＬＥＤ照明装置の照明制御システムの全体構成を機能ブロックとして概略的に示すブロック図であり、信号・電力送受装置をエンドポイント型の選択肢Ａ（信号対に給電するタイプ）とした場合の例を示す。
【図２１】図２１は本発明の実施の形態７に係るＬＥＤ照明装置の照明制御システムの全体構成を概略的に示す説明図である。
【図２２】図２２は本発明の実施の形態８に係るＬＥＤ照明装置の照明制御システムの全体構成を概略的に示す説明図である。
【図２３】図２３は本発明の実施の形態９に係る設定済み直流電力給電装置を示す斜視図である。
【図２４】図２４は本発明の実施の形態９に係る受電側装置を示す斜視図である。
【図２５】図２５は本発明の実施の形態１０に係るＬＥＤ照明装置の照明制御システムを示すブロック図である。
【図２６】図２６は本発明の実施の形態１１に係るＬＥＤ照明装置の照明制御システムを示すブロック図である。
【図２７】図２７は本発明の実施の形態１２に係るＬＥＤ照明装置の照明制御システムを示すブロック図である。
【図２８】図２８は本発明の実施の形態１３に係る壁面スイッチの設置態様を説明するための説明図である。
【図２９】図２９は本発明の実施の形態１３に係る壁面スイッチの全体構成を示す斜視図である。
【図３０】図３０は本発明の実施の形態１４に係るＷＥＢ画面で第４のコマンドメニュー（Ｍａｐｐｉｎｇ  ｂｙ  Ｓｗｉｔｃｈ）Ｍ４を選択実行した場合を示す画面構成図である。
【図３１】図３１は本発明の実施の形態１４に係るＷＥＢ画面の第４のコマンドメニュー（Ｍａｐｐｉｎｇ  ｂｙ  Ｓｗｉｔｃｈ）で特定の給電ポートを選択した場合を示す画面構成図である。
【図３２】図３２は本発明の実施の形態１４に係るＷＥＢ画面で第３のコマンドメニュー（Ｍａｐｐｉｎｇ  ｂｙ  Ｌｉｇｈｔ）を選択実行した場合を示す画面構成図である。
【図３３】図３３は本発明の実施の形態１４に係るＷＥＢ画面で第３のコマンドメニュー（Ｍａｐｐｉｎｇ  ｂｙ  Ｓｗｉｔｃｈ）で特定の壁面スイッチのボタンを選択した場合を示す画面構成図である。
【図３４】図３４は本発明の実施の形態１４に係るＷＥＢ画面で第１のコマンドメニュー（Ｏｖｅｒｖｉｅｗ）を選択実行した場合を示す画面構成図である。
【図３５】図３５は本発明の実施の形態１４に係るＷＥＢ画面で第２のコマンドメニュー（Ｓｗｉｔｃｈｅｓ）を選択実行した場合を示す画面構成図である。
【発明を実施するための形態】
【００３３】
以下、本発明を実施するための形態（以下、実施の形態という）を説明する。なお、各実施の形態を通じ、同一の部材、要素又は部分には同一の符号を付して、その説明を省略する。
【００３４】
実施の形態１
［全体構成］
実施の形態１に係るＬＥＤ照明装置の照明制御システムは、ＩＥＥＥ８０２．３ａｆ（受電側の適正電力１２．９５Ｗ）及びＩＥＥＥ８０２．３ａｔ（受電側の適正電力２５．５Ｗ）で規定されるパワー・オーバー・イーサネット技術を利用している。なお、「ＥＴＨＥＲＮＥＴ／イーサネット」は、富士ゼロックス株式会社の登録商標である（以下、「イーサネット」と称する際の「登録商標」の表示は省略）。ここで、パワー・オーバー・イーサネット（「Ｐｏｗｅｒ  ｏｖｅｒ  Ｅｔｈｅｒｎｅｔ」の日本語名称、以下、「ＰｏＥ」という。）とは、パワー・ソーシング・エクィップメント（「Ｐｏｗｅｒ  Ｓｏｕｒｃｉｎｇ  Ｅｑｕｉｐｍｅｎｔ」、以下、「ＰＳＥ」という。）と呼ばれる給電装置と、パワード・デバイス（「Ｐｏｗｅｒｅｄ  Ｄｅｖｉｃｅ」、以下「ＰＤ」という。）と呼ばれる受電装置とを備え、イーサネット規格によるＬＡＮケーブル（カテゴリー３（ＣＡＴ３）やカテゴリー５（ＣＡＴ５））を利用して、データの送受信と共に電力供給を行うものである。そして、図１に示すように、本発明の実施の形態１に係るＬＥＤ照明装置の照明制御システムは、給電装置１０としてのＡＣ／ＤＣ電力供給装置１０Ａ、イーサネットスイッチ２０、給電側装置３０、受電側装置４０、ＬＥＤ照明装置６０、及び、端末制御装置７０を備え、このうち、主に、給電側装置３０にＰＳＥ技術を利用している。
【００３５】
＜給電側装置＞
ＡＣ／ＤＣ電力供給装置１０Ａは、ＡＣ電源（典型的には、１００Ｖ又は２００Ｖの商用交流電源）を直流電源（ＤＣ電源）に変換して電力供給するものであり、内蔵した変圧器（降圧回路）、整流器（整流回路）、平滑化回路、安定化回路等によって、所定の電圧値及び所定の電流値の直流電力を供給するものである。このＡＣ／ＤＣ電力供給装置１０Ａは、給電線１５を介して、直流電力を前記給電側装置３０に供給する。なお、ＡＣ／ＤＣ電力供給装置１０Ａは、典型的な日本の商用電源（１００Ｖ又は２００Ｖ）以外にも、海外の商用電源にも対応可能であり、１００Ｖ〜２４０Ｖの電圧に対応可能である。一方、給電装置１０としては、ＡＣ／ＤＣ電極供給装置１０Ａ以外にも、太陽光パネル充電・給電装置１０Ｂを使用することもできる。この太陽光パネル充電・給電装置１０Ｂは、太陽光パネル１２による光電変換で発電した電力を充電（蓄電）し、所定の電圧値及び所定の電流値の直流電力を供給するものである。この太陽光パネル充電・給電装置１０Ｂは、給電線１１を介して、直流電力を前記給電側装置３０に供給する。
【００３６】
＜端末制御装置及びイーサネットスイッチ＞
端末制御装置７０は、パーソナルコンピュータ（ＰＣ）や携帯情報端末等の任意のコンピュータ装置からなる。端末制御装置７０はＬＡＮケーブル７５を介してイーサネットスイッチ２０に接続されており、端末制御装置７０からのデータや制御信号が、ＬＡＮケーブル７５を介してイーサネットスイッチ２０に送信されるようになっている。イーサネットスイッチ２０は、イーサネット規格（ＩＥＥＥ８０２．３）のスイッチングハブからなる。なお、スイッチングハブは、レイヤー２スイッチ（Ｌ２スイッチ）、レイヤー２スイッチングハブ、ＬＡＮスイッチとも呼ばれ、ＳＮＭＰ（シンプルネットワークマネージメントプロトコル）に対応していないノン・インテリジェントＬ２スイッチのほか、ＳＮＭＰに対応するインテリジェントＬ２スイッチも含む。イーサネットスイッチ２０を構成するスイッチングハブは、ＬＡＮ（ローカルエリアネットワーク）における中継機器としてのハブの一種であるが、リピーターハブとは異なり、ブリッジとしての機能も具備し、前記端末制御装置７０から送信されたデータや制御信号を解析して、当該データや制御信号の宛先を検出し、検出した宛先の端末機器（本実施の形態の場合は、ＬＥＤ照明装置６０を制御する受電側装置４０内の受電制御装置５０）にのみ当該データや制御信号を送信する。本実施の形態のスイッチングハブからなるイーサネットスイッチ２０は、本発明のイーサネット用ハブ又はＬＡＮ用ハブを構成する。なお、本発明のＬＡＮ用ハブとしては、スイッチングハブ以外に、リピーターハブを使用することも可能であるが、後述する受電制御装置５０におけるアドレス識別機能を利用する観点からは、（後述するように、給電側装置３０内の給電制御装置３１によりかかるアドレス識別機能を実現しない場合は）スイッチングハブを使用することが好ましい。
【００３７】
＜給電側装置及びイーサネットスイッチ＞
給電側装置３０は、上記のように、給電線１５を介して給電装置１０に接続される一方で、ＬＡＮケーブル２５を介してイーサネットスイッチ２０に接続され、かつ、ＬＡＮケーブル３５を介して受電側装置４０に接続されており、給電装置１０からの直流電力を受電側装置４０に供給する一方で、イーサネットスイッチ２０からの（端末制御装置７０が送信した）データや制御信号を受電側装置４０に中継するようになっている。図１に示すように、一つのイーサネットスイッチ２０及び一つの給電側装置３０には、それぞれ、複数のＬＡＮポートが設けられており、当該一つのイーサネットスイッチ２０及び一つの給電側装置３０に、複数又は多数のＬＡＮケーブル（最大限、ＬＡＮポートの数に相当するＬＡＮケーブル）を介して、対応する複数又は多数の受電側装置４０が接続されて、当該一つのイーサネットスイッチ２０及び一つの給電側装置３０により、当該複数又は多数の受電側装置４０への制御信号の送受信及び給電が行われる。
【００３８】
詳細には、図２に示すように、ＬＡＮケーブル２５は、ストレートケーブルであり、合計４対（８芯）の撚対線を備え、そのうちの、１番及び２番の撚対線Ｃ１，Ｃ２（データ送信用）と、３番及び６番の撚対線Ｃ３，Ｃ６（データ受信用）により、データや制御信号の送受信を行う。なお、ＬＡＮケーブル２５は、イーサネットスイッチ２０と給電側装置３０との間でのデータ送受信を担うだけであるため、ＬＡＮケーブル２５としては、イーサネット規格のカテゴリー３（ＣＡＴ３）、カテゴリー５（ＣＡＴ５）等を使用することができる。一方、ＬＡＮケーブル３５は、ストレートケーブルであり、合計４対（８線）の撚対線を備え、そのうちの、１番及び２番の撚対線Ｃ１，Ｃ２（データ送信用）と、３番及び６番の撚対線Ｃ３，Ｃ６（データ受信用）により、データや制御信号の送受信を行うが、ＬＡＮケーブル３５は、給電側装置３０から受電側装置４０へのデータ送受信と共に給電を担うものであるため、特に給電時の電気的容量を確保して安全性や保安性を維持するため、ＬＡＮケーブル３５として、イーサネット規格のカテゴリー６（ＣＡＴ６）を使用している。なお、ＬＡＮケーブル３５としては、特に給電時の電気的容量を確保して安全性や保安性を維持できる限りにおいて、ＣＡＴ６相当のＬＡＮケーブル、例えば、エンハンスドカテゴリー６（ＣＡＴ６ｅ）やカテゴリー６Ａ（ＣＡＴ６Ａ）等のＬＡＮケーブルを使用することができる。
【００３９】
ここで、図２に示す給電側装置３０の内部構成は、単一のＬＡＮケーブル２５及び単一のＬＡＮケーブル３５に対応するものであり、それぞれの合計４対の撚対線Ｃ１，Ｃ２、撚対線Ｃ３，Ｃ６、撚対線Ｃ４，Ｃ５、撚対線Ｃ７，Ｃ８に対応する構成を示している。即ち、給電側装置３０は、ＬＡＮケーブル２５，３５の最大接続数（ＬＡＮポートの最大数）だけ、上記図２の内部構成を備えている。なお、給電制御装置３１は、１台のみ給電側装置３０に内蔵され、ＬＡＮケーブル２５，３５の最大接続数（ＬＡＮポートの最大数）のそれぞれに、上記のようにして給電（及び給電制御）を行う構成となっている。
【００４０】
本実施の形態のイーサネットスイッチ２０は、１０メガビット・イーサネット（１０ＢＡＳＥ−Ｔ）又は１００メガビット・イーサネット（１００ＢＡＳＥ−Ｔ２）の通信を行うものであり、ギガビットイーサネット（１０００ＢＡＳＥ−Ｔ等）の通信は行わない。イーサネットスイッチ２０は、各ＬＡＮポートに接続されるＬＡＮケーブル２５の撚対線のうちデータ送受信用の撚対線Ｃ１，Ｃ２及び撚対線Ｃ３，Ｃ６に対応して、それぞれ、データ送受信用のＬＡＮ用のパルストランス（「絶縁トランス」とも呼ばれる）２１を備えている。なお、イーサネットスイッチ２０は、その他、ＰＨＹ（物理層）やＭＡＣ（メディアアクセスコントロール）の機能を実現するためのチップ等を備えている。パルストランス２１は、イーサネットスイッチ２０のＬＡＮポートに挿着されたＬＡＮケーブル２５の基端側のＲＪ−４５コネクタの８つのピンのうち、前記撚対線Ｃ１，Ｃ２及び撚対線Ｃ３，Ｃ６にそれぞれ対応して設けられている。そして、端末制御装置７０からのデータや制御信号は、イーサネットスイッチ２０のパルストランス２１、並びに、ＬＡＮケーブル２５の信号対としての撚対線Ｃ１，Ｃ２及び撚対線Ｃ３，Ｃ６を介して、送受信される。なお、ＬＡＮケーブル２５の予備対としての撚対線Ｃ４，Ｃ５及び撚対線Ｃ７，Ｃ８は、データ送受信には関与せず非使用状態である。
【００４１】
一方、給電側装置３０は、イーサネットスイッチ２０のＬＡＮポートに対応して、ＬＡＮポートからなる入口ポート及び出口ポートを備え、入口ポートには前記ＬＡＮケーブル２５の先端側のＲＪ−４５コネクタを挿着し、出口ポートには前記ＬＡＮケーブル３５の基端側のＲＪ−４５コネクタを挿着している。そして、給電側装置３０は、入口ポートに挿着したＬＡＮケーブル２５のＲＪ−４５コネクタの８つのピンのうち、（イーサネットスイッチ２０からの）前記撚対線Ｃ１，Ｃ２及び撚対線Ｃ３，Ｃ６を介したデータや制御信号を、出口ポートに挿着したＬＡＮケーブル３５のＲＪ−４５コネクタの８つのピンのうち、信号対としての前記撚対線Ｃ１，Ｃ２及び撚対線Ｃ３，Ｃ６に（内部の中継路を介して）中継するようになっている。なお、ＬＡＮケーブル２５の撚対線Ｃ４，Ｃ５及び撚対線Ｃ７，Ｃ８は予備対であるため、給電側装置３０の入力ポートに（ＲＪ−４５コネクタの対応するピンを介して）接続されるものの、ＬＡＮケーブル２５の撚対線Ｃ４，Ｃ５及び撚対線Ｃ７，Ｃ８と給電側装置３０との間で入出力が行われることはない。
【００４２】
＜給電制御装置＞
給電側装置３０は、給電制御装置３１を内蔵している。給電制御装置３１は、給電側装置３０の出口ポートに装着したＬＡＮケーブル３５の予備対としての撚対線Ｃ４，Ｃ５及び撚対線Ｃ７，Ｃ８を介して、受電側装置４０に所定電圧値で所定電流値の直流電力を供給するよう制御を行う。即ち、この場合、ＬＡＮケーブル３５の予備対としての撚対線Ｃ４，Ｃ５及び撚対線Ｃ７，Ｃ８は、それぞれ、電力を供給する給電対として機能する。給電制御装置３１は、ＩＥＥＥ８０２．３ａｆ又はＩＥＥＥ８０２．３ａｔ規格のＰＳＥの制御部分と同様の構成を備えることもでき、給電制御装置３１により、受電側装置４０の検出、（任意の構成であるが）検出した受電側装置４０の種類の識別、検出した受電側装置４０への給電、受電側装置４０への給電遮断等を制御する構成を採用することもできる。なお、上記のように、端末制御装置７０からの制御信号の宛先である受電側装置４０の識別（アドレス情報に基づく識別動作）は、スイッチングハブからなるイーサネットスイッチ２０により行うこともできるが、この識別動作を給電制御装置３１により行う場合は、イーサネットスイッチ２０による受電側装置４０の識別動作は不要である。この場合、スイッチングハブからなるイーサネットスイッチ２０の代わりにリピーターハブを使用することもできる。一方、イーサネットスイッチ２０により受電側装置４０の識別動作を行う場合は、給電制御装置３１による受電側装置４０の識別動作（及び対応する構成）は省略することができる。詳細には、給電制御装置３１は、中央処理装置（ＣＰＵ）等からなる主制御部、電圧制御部（ＭＯＳＦＥＴ等）、電圧検出部（電圧検出用抵抗等）、電流検出部（電流検出用抵抗等）等を備え、当該主制御部の制御によって、電圧制御部の電圧値を、受電側装置４０の検出、識別、給電、給電遮断のそれぞれの動作を実行するために必要な電圧値に変更し、当該検出、（任意構成としての）識別、給電、給電遮断のそれぞれの動作を実行するものである。また、給電制御装置３１は、電源を投入した状態でのＬＡＮケーブル２５，３５の脱着を可能にするホットスワップ（活線挿抜）部を備えてもよい。そして、給電制御装置３１は、端末制御装置７０からの指令により、受電側装置４０を検出した後、給電装置１０からの所定電圧値で所定電流値の直流電力を撚対線Ｃ４，Ｃ５（電流往路）及び撚対線Ｃ７，Ｃ８（電流復路）を介して受電側装置４０へと供給する。なお、給電制御装置３１は、マイコン制御装置と同様のハードウエア構成（ＣＰＵ、メモリ、Ｉ／Ｏ等）を利用して（必要な場合は、所定の組込制御プログラムを利用して）、上記の所定の各機能を実現するようになっている。
【００４３】
上記給電側装置３０の構成は、ＩＥＥＥ８０２．３ａｆ又はＩＥＥＥ８０２．３ａｔで規定されるミッドスパン型（リピーターハブやスイッチングハブに接続するタイプ）の選択肢Ｂ（予備対に給電するタイプ）のＰＳＥの構成に相当し、当該ＰＳＥと同様の機能を発揮する。また、上記イーサネットスイッチ２０及び給電側装置３０の組合せは、実施の形態１の信号・電力送受装置を構成する。ここで、ＩＥＥＥ８０２．３ａｆ又はＩＥＥＥ８０２．３ａｔで規定されるＰｏＥでは、ＰＳＥの動作電圧は、４４〜５７Ｖ（直流）の範囲内であって、通常は４８Ｖ（直流）に設定され、また、ＰＳＥが発生する最大電流は、３５０〜４００ｍＡである。これは、このレベルの電流でないと、ＬＡＮケーブルが自らの寄生抵抗（各撚対線について約２０Ω）による発熱によって損傷する恐れがあるからである。したがって、従来のＰＳＥによる電力は、最小で、４４Ｖ×０．３５Ａ＝１５．４Ｗとなり、最大でも、５７Ｖ×０．４Ａ＝２２．８Ｗとなる。一方、実施の形態１では、給電装置１０から給電側装置３０に供給される直流電力は、電圧値が２４Ｖ、電流値が１．６Ａに設定されている（電力値は３８Ｗ）。そして、給電側装置３０の給電制御装置３１から受電側装置４０に供給される直流電力も、電圧値が２４Ｖ、電流値が１．６Ａの直流電力（電力値３８Ｗ）となる。したがって、実施の形態１では、大容量の電流伝送に耐えうるよう、給電側装置３０から受電側装置４０への給電を（データ送受信に加えて）行うＬＡＮケーブル３５として、ＣＡＴ６のＬＡＮケーブル３５を使用している。
【００４４】
＜受電側装置＞
受電側装置４０は、ＬＡＮケーブル３５を介してイーサネットスイッチ２０及び給電側装置３０にそれぞれ接続される。詳細には、受電側装置４０は、給電側装置３０の出口ポートに挿着したＬＡＮケーブル３５の信号対としての撚対線Ｃ１，Ｃ２及び撚対線Ｃ３，Ｃ６と、給電側装置３０の内部の中継路と、給電側装置３０の入口ポートに装着したＬＡＮケーブル２５の信号対としての撚対線Ｃ１，Ｃ２及び撚対線Ｃ３，Ｃ６とを介して、イーサネットスイッチ２０のパルストランス２１に電気的に接続され、端末制御装置７０との間でイーサネットスイッチ２０（上記のように、給電制御装置３１による制御信号の送受信を行う場合は、当該給電性緒装置３１）を介したデータの送受信を行う。具体的には、受電側装置４０は、給電側装置３０の出口ポートに対応して、ＬＡＮポートを備え、当該ＬＡＮポートにＬＡＮケーブル３５の先端側のＲＪ−４５コネクタを挿着している。また、受電側装置４０は、データ送受信用のＬＡＮ用のパルストランス４１と、受電制御装置５０とを内蔵している。パルストランス４１は、ＬＡＮポートに挿着したＬＡＮケーブル３５のＲＪ−４５コネクタの８つのピンのうち、信号対としての前記撚対線Ｃ１，Ｃ２及び撚対線Ｃ３，Ｃ６にそれぞれ対応して設けられている。そして、給電側装置３０を介したイーサネットスイッチ２０からのデータや制御信号が、ＬＡＮケーブル３５の信号対としての撚対線Ｃ１，Ｃ２及び撚対線Ｃ３，Ｃ６から、受電側装置４０のパルストランス４１を介して受電制御装置５０に入出力される。
【００４５】
また、受電側装置４０は、給電側装置３０の出口ポートに挿着したＬＡＮケーブル３５の給電対としての撚対線Ｃ４，Ｃ５及び撚対線Ｃ７，Ｃ８を介して、給電制御装置３１によって制御された給電装置１０からの直流電力の供給を受ける。具体的には、ＬＡＮケーブル３５の給電対としての撚対線Ｃ４，Ｃ５及び撚対線Ｃ７，Ｃ８が、当該ＬＡＮケーブル３５のＲＪ−４５コネクタの対応するピンを介して、受電側装置４０のＬＡＮポートに接続され、（前記給電制御装置３１からの）当該撚対線Ｃ４，Ｃ５及び撚対線Ｃ７，Ｃ８を介した直流電力が、前記受電制御装置５０に入出力されて給電が行われる。受電制御装置５０は、給電対としての撚対線Ｃ４，Ｃ５及び撚対線Ｃ７，Ｃ８からの直流電力を、給電線６５を介してＬＥＤ照明装置６０に供給すると共に、信号対としての撚対線Ｃ１，Ｃ２及び撚対線Ｃ３，Ｃ６からの制御信号に基づき、前記端末制御装置７０からの指令にしたがって、ＬＥＤ照明装置６０の照明制御を実行する。なお、受電制御装置５０の詳細については、図５を参照して後述する。
【００４６】
図１に示すように、一つのイーサネットスイッチ２０及び一つの給電側装置３０には、それぞれ、複数のＬＡＮポートが設けられており、当該一つのイーサネットスイッチ２０及び一つの給電側装置３０に、複数又は多数のＬＡＮケーブル（最大限、ＬＡＮポートの数に相当するＬＡＮケーブル）を介して、対応する複数又は多数の受電側装置４０が接続されて、当該一つのイーサネットスイッチ２０及び一つの給電側装置３０により、当該複数又は多数の受電側装置４０への制御信号の送受信及び給電が行われると共に、当該複数又は多数の受電側装置４０にそれぞれ接続した（対応する複数又は多数の）ＬＥＤ照明装置６０が、それぞれ、前記一つのイーサネットスイッチ２０からの信号及び一つの給電側装置３０からの給電を受けることで、単一の前記端末制御装置７０によって所定の態様で一括して照明制御されるようになっている。図１の例では、それぞれ８本となるＬＡＮケーブル２５及びＬＡＮケーブル３５により、一つのイーサネットスイッチ２０及び一つの給電側装置３０に対して合計で８個の受電側装置４０を接続し、１台の端末制御装置７０により、当該８個の受電側装置４０を介して（合計８個の）ＬＥＤ照明装置６０を一括して照明制御するようになっている。なお、複数のイーサネットスイッチ２０及び対応する複数の給電側装置３０をカスケード接続することにより、図１に示す例と比較して、より多数の受電側装置４０を接続し、より多数の受電側装置４０によって、より多数のＬＥＤ照明装置６０を単一の端末制御装置７０によって一括して照明制御することができる。
【００４７】
ここで、実施の形態１（図１，２，４，５）では、１個の受電側装置４０に１本のＬＥＤ照明装置６０を接続する例を示しているが、後述する実施の形態２（図７，８，９）に示すように、１個の受電側装置１４０に２本（或いは３本以上）のＬＥＤ照明装置６０を接続することもできる。（説明は後述する。）
【００４８】
＜第１の変更例の信号・電力送受装置＞
実施の形態１のＬＥＤ照明装置の照明制御システムは、端末制御装置７０の制御信号の送受信及び給電装置１０の直流電力の供給を行う信号・電力送受装置として、図１に示すように、前記イーサネットスイッチ２０と給電側装置３０とを別個に配設する構成を採用しているが、信号・電力送受装置としては、これに代えて、図３に示すように、イーサネットスイッチ２０と給電側装置３０とを（図３中に二点鎖線で示す）筺体８０内部に一体的に配設する構成を採用してもよい。この場合、第１の変更例に係る信号・電力送受装置は、筺体８０の上部に配設したソケット８１の外部側のソケット孔に、前記給電装置１０からの給電線１５の先端側のプラグを挿着して接続すると共に、当該ソケット８１の内部側から延びる（前記給電装置１０からの給電線１５と同様の）内部側の給電線１５の先端側を、前記給電側装置３０の内部の給電制御装置３１に電気的に接続する。また、筺体８０の下部に配設したコネクタ８２の外部側のコネクタ孔に、前記端末制御装置７０からのＬＡＮケーブル７５の先端側のＲＪ−４５コネクタを挿着して接続すると共に、当該コネクタ８２の内部側から延びる（前記端末制御装置７０からのＬＡＮケーブル７５と同様の）内部側のＬＡＮケーブル７５の先端側のＲＪ−４５コネクタを、前記イーサネットスイッチ２０のＬＡＮポートに接続する。筺体８０の内部のイーサネットスイッチ２０と給電側装置３０とは、図２を参照して説明したように、ＬＡＮケーブル２５により接続される。また、給電側装置３０の出口ポート３２には、それぞれ、前記ＬＡＮケーブル３５を介して受電側装置４０が接続される。
【００４９】
＜第２の変更例の信号・電力送受装置＞
実施の形態１のＬＥＤ照明装置の照明制御システムは、前記信号・電力送受装置に代えて、図４に示すように、イーサネットスイッチ２０と給電側装置３０とを筺体内部に一体的に配設した一体構成の信号・電力送受装置９０を採用してもよい。この場合、第２の変更例に係る信号・電力送受装置９０は、前記イーサネットスイッチ２０の内部構成（前記パルストランス２１と同様のパルストランス９１等）と、前記給電側装置３０の内部構成（給電制御装置３１等）とを一体的に内蔵する構成となる。そして、この信号・電力送受装置９０は、各ＬＡＮポートに接続したＬＡＮケーブル３５を介して、各受電側装置４０に接続され、上記と同様にして、給電及び照明制御を実行する。なお、この場合の信号・電力送受装置９０の構成は、ＩＥＥＥ８０２．３ａｆ又はＩＥＥＥ８０２．３ａｔで規定されるエンドポイント型（リピーターハブやスイッチングハブと一体化したタイプ）の選択肢Ｂ（予備対に給電するタイプ）のＰＳＥの構成に相当し、当該ＰＳＥと同様の機能を発揮する。
【００５０】
＜受電制御装置＞
ここで、実施の形態１の受電側装置４０の説明に戻り、前記受電制御装置５０について、前記イーサネットスイッチ２０及び給電側装置３０との関係を中心に詳細に説明する。なお、イーサネットスイッチ２０及び給電側装置３０としては、図３に示す第１の変更例の信号・電力送受装置を例にとって説明するが、無論、図１及び図２の例の場合、並びに、図４に示す第２の変更例の場合も、受電制御装置は同様の構成となる。図５に示すように、受電制御装置５０は、主制御部５１、アドレス部５２、ＯＮ／ＯＦＦ部５３、調光部５４、照明態様制御部５５、ＤＣ／ＤＣ昇圧部５６、定電流制御部５７を備えている。また、受電制御装置５０は、給電側装置３０からＬＥＤ照明装置６０への給電を遮断しているときでも、前記給電側装置３０によるＬＡＮケーブル３５の給電線である撚対線Ｃ１，Ｃ２及び撚対線Ｃ３，Ｃ６からの給電（制御動作に必要な電圧値・電流値での給電）を利用して、主制御部５１等による所定の電気的な制御動作を行う。
【００５１】
具体的には、主制御部５１は、イーサネットスイッチ２０の制御部（図４の第２の変更例の場合は、信号・電力送受装置９０のイーサネットスイッチ相当部分の制御部）であるイーサネットコントローラ２１に対して、前記ＬＡＮケーブル３５の信号対である撚対線Ｃ１，Ｃ２及び撚対線Ｃ３，Ｃ６を介して接続されている。アドレス部５２は、個別の受電側装置４０を一意に識別するアドレス情報を格納するものであり、所定のメモリーの所定の記憶領域により構成されている。一意のアドレス情報としては、ＩＰアドレス（特に、プライベートＩＰアドレス）を好適に使用することができる。また、ＩＰアドレスに加えて、デフォルトゲートウェイやサブネットマスク等の情報を利用したり、或いは、ＭＡＣアドレスをアドレス情報として使用したりすることもできる。ＯＮ／ＯＦＦ部５３は、主制御部５１の指令を受けて、給電制御装置３１からのＬＥＤ照明装置６０用の給電を、選択的にオン（接続）又はオフ（遮断）するものであり、例えば、（トランジスタ等を利用した）スイッチング回路から構成される。調光部５４は、主制御部５１の指令を受けて、ＬＥＤ照明装置６０の調光制御を行うものであり、例えば、振幅制御回路又はパルス幅制御回路等により構成される。
【００５２】
照明態様制御部５５は、主制御部５１の指令を受けて、ＬＥＤ照明装置６０を各種の照明態様で発光するよう制御するものである。照明態様制御部５５による照明態様としては、例えば、以下のものがある。
（１）  ＬＥＤ照明装置６０を所定の時間間隔で点滅制御（或いは、点灯及び消灯を連続的に繰り返すよう制御）する。
（２）  ＬＥＤ照明装置６０を複数色（例えば、Ｒ，Ｇ，Ｂの各色）のカラーＬＥＤチップで構成した場合に、各色のカラーＬＥＤチップを選択的に組み合わせて発光させることで、例えば、ＬＥＤ照明装置６０としてネオンライト状の発光態様を得る。
（３）  各種センサーを受電制御装置５０の主制御部５１に接続することで、各種センサーからの検出信号に応じた所定の発光態様でＬＥＤ照明装置６０を発光させる。例えば、（赤外線センサー等からなる）人体センサーにより、所定の照明空間（部屋等）への人体の進入及び退出を検出して、ＬＥＤ照明装置を自動的に点灯又は消灯する。或いは、自体センサーを所定の照明空間内に複数配設し、人体の移動位置に応じてＬＥＤ照明装置の発光態様を変更する（例えば、人体の存在する位置のＬＥＤ照明装置のみを点灯したり、当該位置のＬＥＤ照明装置の照度を他のＬＥＤ照明装置と比較して増大したり、人体の移動に合わせて対応するＬＥＤ照明装置６０を順番に点灯したりする）。或いは、音センサーにより所定の照明空間（部屋等）における特定の音（人の音声、入室・退室時のドアの開閉音）を検出して、ＬＥＤ照明装置を自動的に点灯又は消灯する。或いは、地震波のＰ波（初期微動）を検出する（加速度センサー等を利用した）感震センサーやＰ波センサーにより、地震時の初期微動を検出し、地震発生直後に（主要動の到達前に）、照明空間のＬＥＤ照明装置を（就寝時等に消灯している場合は）即座に点灯したり、（既に点灯している場合は）照明態様を大きく変更したり（例えば、点滅したり）して、照明空間内の人の避難・退避動作を促進する。
【００５３】
ＤＣ／ＤＣ昇圧部５６は、給電制御装置３１から伝送された直流電力の所定の直流電圧（２４Ｖ）を、ＬＥＤ照明装置６０の最適な点灯動作（最大発光効率での点灯動作）に要求される所定電圧値の直流電圧へと昇圧するものであり、昇圧用のＤＣ／ＤＣコンバータ等により構成される。例えば、本願の出願人が独自に開発した新規なＬＥＤ照明装置６０の場合、最適な点灯動作（最大発光効率での点灯動作）に要求される所定電圧値は、典型的には、４３Ｖ〜４８Ｖの範囲内であるため、この場合、ＤＣ／ＤＣ昇圧部５６は、給電制御装置３１からの電源電圧（２４Ｖ）を、当該範囲内の所定の電圧値（例えば、４３Ｖ）に昇圧する。また、定電流制御部５７は、ＤＣ／ＤＣ昇圧部５６により昇圧した直流電流を、ＬＥＤ照明装置６０の最適な点灯動作（最大発光効率での点灯動作、或いは、前記調光部５４や照明態様制御部５５による所定の照明態様での点灯動作）に要求される所定電流値の定電流となるよう制御するものであり、定電流制御用のレギュレーターや定電流制御用のＤＣ／ＤＣコンバータ等により構成される。なお、例えば、調光動作の場合は、定電流制御部５７による電流値は、調光部５４による調光操作の途中過程では当然に増減変化するが、一定の調光状態を得た後は、その調光状態に応じた定電流となる。例えば、本願の出願人が独自に開発した新規なＬＥＤ照明装置６０の場合、最適な点灯動作（最大発光効率での点灯動作）に要求される所定電流値は、典型的には、４２０ｍＡ〜８４０ｍＡの範囲内であるため、この場合、定電流制御部５７は、ＤＣ／ＤＣ昇圧部５６からの昇圧後の直流電流を、当該範囲内の所定の電流値（例えば、４２０ｍＡ）の定電流となるよう制御する。したがって、受電制御装置５０から出力される直流電力の電力値は、例えば、４３Ｖ×０．４２Ａ＝約１８Ｗとなる。
【００５４】
ここで、主制御部５１は、（イーサネットコントローラ２１を介して入力される）前記端末制御装置７０からの制御信号に基づいて、ＯＮ／ＯＦＦ部５３に対するオン／オフ指令、調光部５４に対する所定の調光制御指令、照明態様制御部５５に対する所定の照明制御指令をそれぞれ出力する。また、ＤＣ／ＤＣ昇圧部５６による昇圧動作、及び、定電流制御部５７による定電流制御動作は、ＯＮ／ＯＦＦ部５３によるスイッチオン動作があって、初めて開始及び実行される。したがって、ＯＮ／ＯＦＦ部５３によるスイッチオン動作があって、初めて、定電流制御部５７から、給電線６５を介して、ＬＥＤ照明装置６０への所定電圧値及び所定電流値の（ＬＥＤ点灯用の）直流電流の給電が行われる。一方、ＯＮ／ＯＦＦ部５３によるスイッチオフ動作があると、定電流制御部５７から、給電線６５を介したＬＥＤ照明装置６０への所定電圧値及び所定電流値の（ＬＥＤ点灯用の）直流電流の給電は停止（遮断）される。なお、受電制御装置５０は、マイコン制御装置と同様のハードウエア構成（ＣＰＵ、メモリ、Ｉ／Ｏ等）を利用して、及び、所定の組込制御プログラム又はファームウエアを利用して、上記の所定の各機能を実現するようになっている。更に、主制御部５１は、アドレス部５２から読み出した（当該主制御部５１を内蔵する受電制御装置５０の）アドレス情報を取得して、当該アドレス情報に個別に割り当てた所定の動作態様で、対応するＬＥＤ照明装置６０を照明制御することもできる。この場合、端末制御装置７０に、個別の受電側装置４０，１４０，１７０の受電制御装置５０に応じた制御手順を実行するための照明制御プログラムを実装し、当該照明制御プログラムにより、所望のＬＥＤ照明装置６０を接続する受電側装置４０，１４０，１７０毎に個別の照明制御を実行することもできる。
【００５５】
上記受電側装置４０の構成は、ＩＥＥＥ８０２．３ａｆ又はＩＥＥＥ８０２．３ａｔで規定されるＰＤの構成に相当するが、ＰＤは上記受電制御装置５０のような構成（制御構造）は備えておらず、本実施の形態の受電側装置４０（特に、受電制御装置５０）は、従来にない全く新規で、かつ、（従来技術から予期できない特有の作用効果を発揮する）有用性の高いものである。
【００５６】
＜第３の変更例の信号・電力送受装置＞
実施の形態１のＬＥＤ照明装置の照明制御システムは、端末制御装置７０の制御信号の送受信及び給電装置１０の直流電力の供給を行う信号・電力送受装置として、図１に示す（又は図３に示す）信号・電力送受装置に代えて、図６に示すように、給電装置１０Ａとイーサネットスイッチ２０と給電側装置３０とを（図３中に二点鎖線で示す）筺体１００内部に一体的に配設する構成を採用してもよい。この場合、第３の変更例に係る信号・電力送受装置は、筺体１００の上部に配設したソケット１０１の外部側のソケット孔に、商用交流電源の給電線の先端側のプラグを挿着して接続すると共に、当該ソケット１０１の内部側から延びる交流伝送用の給電線１０５の先端側を、給電装置１０Ａに電気的に接続する。また、給電装置１０Ａに基端を電気的に接続した（前記給電装置１０からの給電線１５と同様の）内部側の給電線１５の先端側を、前記給電側装置３０の内部の給電制御装置３１に電気的に接続する。更に、筺１００の下部に配設したコネクタ１０２の外部側のコネクタ孔に、前記端末制御装置７０からのＬＡＮケーブル７５の先端側のＲＪ−４５コネクタを挿着して接続すると共に、当該コネクタ１０２の内部側から延びる（前記端末制御装置７０からのＬＮＡケーブル７５と同様の）内部側のＬＡＮケーブル７５の先端側のＲＪ−４５コネクタを、前記イーサネットスイッチ２０のＬＡＮポートに接続する。筺体１００の内部のイーサネットスイッチ２０と給電側装置３０とは、図２を参照して説明したように、ＬＡＮケーブル２５により接続される。また、給電側装置３０の出口ポート３２には、それぞれ、前記ＬＡＮケーブル３５を介して受電側装置４０が接続される。
【００５７】
実施の形態２
図７に示すように、実施の形態２に係るＬＥＤ照明装置の照明制御システムは、実施の形態１に係るＬＥＤ照明装置の照明制御システムとほぼ同様の構成であるが、受電側装置１４０が２本のＬＥＤ照明装置６０を電気的に並列に接続した点において、実施の形態１と異なる。なお、図７の例では、信号・電力送受装置は、図１の例の信号・電力送受装置と同様、イーサネットスイッチ２０と給電側装置３０とを別個に配設する構成であるが、これを、図４に示す第２の変更例に係る構成の信号・電力送受装置としたり、図３に示す第１の変更例に係る構成の信号・電力送受装置としたりすることもできる。即ち、実施の形態２の信号・電力送受装置は、実施の形態１の信号・電力送受装置（第１〜第３の変更例も含む）と同様の構成である。
【００５８】
受電側装置１４０について、（信号・電力送受装置として上記第２の変更例を使用した）図８、及び、（信号・電力送受装置として上記第２の変更例を使用した）図９を参照して説明すると、まず、図８に示すように、受電側装置１４０は、実施の形態１の受電側装置４０と同様、各ＬＡＮポートに対応してパルストランス４１を配設し、ＬＡＮポートに接続したＬＡＮケーブル３５の信号対としての撚対線Ｃ１，Ｃ２及び撚対線Ｃ３，Ｃ６からの制御信号を入出力するようになっている。また、受電側装置１４０は、実施の形態１の受電制御装置５０と同様の構成の受電制御装置１５０を内蔵し、パルストランス４１からの制御信号を入力すると共に、ＬＡＮケーブル３５の給電対としての撚対線Ｃ４，Ｃ５及び撚対線Ｃ７，Ｃ８からの直流電力を入力するようになっている。一方、受電制御装置１５０は、２対の給電線６５を介して、２本のＬＥＤ照明装置６０を電気的に並列に接続し、２本のＬＥＤ照明装置６０を照明制御する。詳細には、図９に示すように、受電制御装置１５０は、２つの（実施の形態１の）前記受電制御装置５０を備え、それぞれの受電制御装置５０に１つのＬＥＤ照明装置６０を電気的に接続し、それぞれの受電制御装置５０によって１つのＬＥＤ照明装置６０を照明制御する。照明制御の構成及び方法は、実施の形態１の場合と同様である。
【００５９】
実施の形態３
図１０に示すように、実施の形態３に係るＬＥＤ照明装置の照明制御システムは、実施の形態１に係るＬＥＤ照明装置の照明制御システムとほぼ同様の構成であるが、給電側装置１６０及び受電側装置１７０の構成において、実施の形態１と異なる。詳細には、実施の形態３の給電側装置１６０は、端末制御装置７０からの制御信号を伝送する（実施の形態１の第２の変更例の給電側装置９０のパルストランス９１と同様の）パルストランス９１を備える一方で、（実施の形態１の給電制御装置３１と同様の）給電制御装置３１からの直流電力を、予備対としての撚対線Ｃ４，Ｃ５及び撚対線Ｃ７，Ｃ８ではなく、信号対としての撚対線Ｃ１，Ｃ２及び撚対線Ｃ３，Ｃ６を介して伝送すべく、いわゆるファントム給電技術を利用している。即ち、給電制御装置３１からの直流電力の出力は、パルストランス９１のセンタータップ１６１に電気的に接続され、センタータップ１６１から、信号対としての撚対線Ｃ１，Ｃ２及び撚対線Ｃ３，Ｃ６を介して、受電側装置１７０に伝送される。なお、ファントム給電技術では、制御信号に直流電流を重畳して伝送するが、この場合でも、制御信号は差動信号として（いわゆる、「ディファレンシャル・シグナリング」技術で）伝送されるため、直流電流が制御信号に干渉することはなく、直流電流の電装と制御信号の伝送とを円滑に行うことができる。なお、この場合の給電側装置１６０の構成は、ＩＥＥＥ８０２．３ａｆ又はＩＥＥＥ８０２．３ａｔで規定されるエンドポイント型（リピーターハブやスイッチングハブと一体化したタイプ）の選択肢Ａ（信号対に給電するタイプ）のＰＳＥの構成に相当し、当該ＰＳＥと同様の機能を発揮する。なお、給電側装置（エンドポイント型）として、給電装置１０ＡのＡＣ／ＤＣコンバータを一体化した給電側装置とすることもできる。
【００６０】
また、実施の形態２の受電側装置１７０は、実施の形態１の受電側装置４０と同様のパルストランス４１及び受電制御装置５０を内蔵する一方、給電側装置１６０のパルストランス４１の信号対としての撚対線Ｃ１，Ｃ２及び撚対線Ｃ３，Ｃ６から伝送される直流電流を受電すべく、パルストランス４１のセンタータップ１７１を受電制御装置５０に電気的に接続し、撚対線Ｃ１，Ｃ２及び撚対線Ｃ３，Ｃ６からパルストランス４１に入力されて直流電流を、センタータップ１７１を介して受電制御装置５０に入力するようになっている。なお、受電制御装置５０によるＬＥＤ照明装置６０の照明制御の構成及び方法は、実施の形態１の場合と同様である。
【００６１】
ここで、実施の形態２の受電側装置１７０は、２本のＬＥＤ照明装置６０を並列に接続して２本のＬＥＤ照明装置に同時に給電する構成であるため、受電側装置１７０から２本のＬＥＤ照明装置６０に供給される直流電力は、実施の形態の１の場合（受電側装置４０が１本のＬＥＤ照明装置６０の給電する場合）と比較して、２倍の電流量となる。即ち、各ＬＥＤ照明装置６０に、実施の形態１で述べたように、例えば、電圧値４３Ｖで電流値４２０ｍＡの直流電力を供給する場合、全体としては（２本のＬＥＤ照明装置６０に供給されるのは）、合計８４０ｍＡの直流電力となる。なお、図９に示す例は、１台の受電側装置１４０に２台の受電制御装置５０が内蔵され、２台の受電制御装置５０により２本のＬＥＤ照明装置６０を制御する構成として図示されているが、１台の受電側装置１４０に１台の受電制御装置５０を内蔵し、当該１台の受電制御装置５０により２本のＬＥＤ照明装置６０を制御する構成としてもよい。この場合、１台の受電制御装置５０が、２本のＬＥＤ照明装置６０に対して、それぞれ、駆動に必要な直流電力（例えば、電流値４２０ｍＡ）を供給すると共に、実施の形態１で述べた照明制御動作を実施する。
【００６２】
［作用及び効果］
本発明のＬＥＤ照明装置の照明制御システムについて、上記実施の形態１〜３を参照して代表的な例を説明したが、本発明のＬＥＤ照明装置の照明制御システムによれば、以下のような特有の作用及び効果を発揮する。即ち、１台の端末制御装置７０（通常のＰＣや携帯情報端末等）に、（イーサネットスイッチ及び給電側装置からなる）１台の信号・電力送受装置を介して、多数の受電側装置４０，１４０，１７０を接続し、それぞれの受電側装置４０，１４０，１７０に１本以上のＬＥＤ照明装置６０を接続することで、１台の端末制御装置７０によって、多数のＬＥＤ照明装置６０を所望のタイミングで点灯・消灯したり、所望の照明態様で発光したりすることができる。特に、１本（又は２本以上の１グループの）ＬＥＤ照明装置６０を制御する１台の受電制御装置５０には、それぞれ、一意のアドレス情報（プライベートＩＰアドレス等）が付与されているため、１台の端末制御装置７０によって、多数の受電制御装置５０のアドレス情報を個別に識別し、例えば、当該受電制御装置５０に接続したＬＥＤ照明装置６０の照明空間での配設位置に応じて、個別の配設位置のＬＥＤ照明装置６０を個別の照明態様で照明制御することもできる。このような照明制御としては、例えば、実施の形態１の照明態様制御部５５について説明した照明制御がある。即ち、本発明では、受電制御装置５０に実装したファームウエアによって照明態様制御部５５に所定の制御手順を実行させることで、照明態様制御部５５による独自の制御を実行することもできるが、この場合、あくまで、当該受電制御装置５０に接続したＬＥＤ照明装置についての制御となる。一方、端末制御装置７０に実装した照明制御プログラムを利用して、個別の受電制御装置５０を識別した照明制御を実行する場合は、当該１台の端末制御装置７０に接続した全てのＬＥＤ照明装置を、個別に、グループごとに、或いは、全体的に照明制御することで、様々な照明態様での照明を行うことができ、所望の照明態様に応じた照明制御プログラムを作成することで、その照明態様はほぼ無限となる。
【００６３】
また、上記したように、従来の照明器具の施工は有資格者に限定されているが、本発明のＬＥＤ照明装置の照明制御システムは、商用交流電源からの交流電力をＡＣ／ＤＣ変換した直流電力を利用するため、商用交流電源にＡＣ／ＤＣ給電装置１０Ａを接続するだけでよく、商用交流電源の配線工事を行う必要はない。即ち、本発明のＬＥＤ照明装置の照明制御システムの設置や設置変更は、いわゆる上記の「軽微な電気工事」に該当するため、有資格者以外のものでも、設置や設置変更を行うことができる。なお、軽微な電気工事としては、電鈴、インターホーン、火災感知器、豆電球その他これらに類する施設に使用する小型変圧器（二次電圧が３６Ｖ以下のものに限る。）の工事がある。また、二次側の配線工事については、（電気工事士法施行令第一条により）無資格者でも工事が可能とされている。そして、本発明のＬＥＤ照明装置の照明制御システムは、これらの条件を満たしているため、その設置工事は、軽微な電気工事として、大工等の電気工事士資格を有していない者でも可能である。
【００６４】
実施の形態４
［全体構成］
図１１に示すように、実施の形態４に係るＬＥＤ照明装置の照明制御システムは、実施の形態１に係るＬＥＤ照明装置の照明制御システムと同様の全体構成を備えている。一方、実施の形態４に係るＬＥＤ照明装置の照明制御システムは、給電側装置２２０の構成、及び、受電側装置２５０の構成が、実施の形態１に係るＬＥＤ照明装置の照明制御システムの給電側装置３０及び受電側装置４０の構成と異なる。詳細には、上記のとおり、実施の形態１に係るＬＥＤ照明装置の照明制御システムは、上記のとおり、給電装置１０から給電側装置３０に給電する一方で、一つのイーサネットスイッチ２０を前記受電側装置４０の数と同一数のＬＡＮケーブル２５を介して一つの給電側装置３０の入力側ポートに接続すると共に、当該一つの給電側装置３０を前記受電側装置４０の数と同一数のＬＡＮケーブル３５を介して前記所定数の受電側装置４０に接続している。そして、実施の形態１のＬＥＤ照明装置の照明制御システムは、前記所定数の受電側装置４０に対し、当該所定数の受電側装置４０に接続したＬＥＤ照明装置６０の照明制御用の制御信号（ＯＮ／ＯＦＦ信号、調光信号等の照明制御用の信号）をＰＣ等からなる端末制御装置７０から出力し、前記所定数の受電側装置４０に接続した所定数のＬＥＤ照明装置６０を、前記制御信号に応じて、各々の受電側装置４０により照明駆動すると共に所定の態様で照明制御するようになっている。したがって、実施の形態１のＬＥＤ照明装置の照明制御システムでは、端末制御装置７０からの制御信号を、各受電側装置４０（即ち、各ＬＥＤ照明装置６０）用に作成及び用意し、対応する個別のＬＡＮケーブル２５及びＬＡＮケーブル３５を介して、イーサネットスイッチ２０及び給電側装置３０から対応する個別の受電側装置４０に（個々の受電側装置４０用のＬＡＮケーブル２５を介したいわゆる並列的な伝送態様で）出力することができ、この場合、当該個々の受電側装置４０の制御により、対応する個々のＬＥＤ照明装置６０を当該個々のＬＥＤ照明装置６０に応じた個別の照明態様で制御することができる。即ち、この場合、給電側装置３０の給電制御装置３１の主制御部は、イーサネットスイッチ２０の個々のＬＡＮケーブル２５から入力された（個々の受電側装置４０用の）制御信号を、そのまま、ＬＡＮケーブル３５を介して対応する個々の受電側装置４０に出力する構成とすることができる。換言すれば、端末制御装置７０からの前記所定数の受電側装置４０に対する制御信号は、受電側装置４０と同一数のＬＡＮケーブル２５を介してイーサネットスイッチ２０から給電側装置３０を経て、並列的な伝送態様で前記所定数の受電側装置４０の各々に個別に出力される。
【００６５】
［特有の構成］
＜特有の構成の概要＞
これに対し、図１１に示すように、実施の形態４に係るＬＥＤ照明装置の照明制御システムは、実施の形態１と同様、給電装置１０からの直流電力又は交流電力を給電側装置２２０に供給し、給電側装置２２０から、所定数（所定の複数又は多数）の受電側装置２５０を介して所定数（所定の複数又は多数）のＬＥＤ照明装置６０に対して給電するが、実施の形態１とは異なり、給電側装置２２０は、内部の給電制御装置２３０により、受電側装置２５０へ照明制御用の制御信号を出力したり、給電制御装置２３０と受電側装置２５０との間で（一般的なＰｏＥ技術で規定されているような）給電動作に伴う各種処理のための信号（受信側装置の検出信号や受信側装置の定格判別信号等）の授受を行ったりすることはない。即ち、実施の形態４の給電側装置２２０は、端末制御装置７０からの指令に基づき、給電制御装置２３０により、ＬＥＤ照明装置を予め設定した所定の照明態様で発光駆動するために供給する直流電力の各種パラメータの値（電圧値、電流値、ＰＷＭ制御におけるデューティー比等であって、以下、便宜上、「給電用パラメータ」と称する。）を設定して、給電用パラメータとして所定の記憶領域に保存しておき、保存した給電用パラメータに基づき、当該給電用パラメータを有する所定の直流電力（以下、便宜上、「設定済み直流電力」と称する。）を生成して、その設定済み直流電力を受電側装置２５０を介してＬＥＤ照明装置６０に供給し、ＬＥＤ照明装置６０を所定の照明態様で発光駆動するようになっている。また、給電制御装置２３０は、ＬＥＤ照明装置６０の所定の照明態様として、任意の複数の照明態様を実現すべく、当該複数の照明態様の各々に対応する設定済み直流電力を得るための給電用パラメータを個別に設定し保存する。例えば、給電制御装置２３０は、ＬＥＤ照明装置６０のＯＮ／ＯＦＦの切替動作及び調光（ディミング）動作のほか、一つの給電側装置２２０に接続する所定数のＬＥＤ照明装置６０を複数のグループに分割（グループ分け）して各グループのＬＥＤ照明装置６０を所定の照明態様で発光駆動するグルーピング照明動作等の任意の照明態様を実現すべく、これらの照明態様の各々に対応する設定済み直流電力を得るための給電用パラメータを個別に設定し保存する。以下、特有の構成の詳細について説明する。
【００６６】
＜給電側装置＞
給電側装置２２０は、図１２に示すように、実施の形態の給電側装置３０と同様の構成を有し、給電制御装置２３０を内蔵している。また、給電側装置２２０は、実施の形態１の給電装置３０と同様、給電線１５を介して給電装置１０に接続されている。一方、実施の形態４では、図１１に示すように、一つのイーサネットスイッチ２０の出口ポートの一つを、１本のＬＡＮケーブル２５を介して、一つの給電側装置２２０のイーサネットスイッチ用のＬＡＮポート（以下、「ＥＳポート」と称する。）に接続している。また、実施の形態４では、当該一つの給電側装置２２０を受電側装置２５０の数と同一数のＬＡＮケーブル３５を介して所定数の受電側装置２５０に接続している。更に、一つの給電側装置２２０には、複数のＬＡＮポートが設けられている。例えば、図１１等に図示の例では、給電側装置２２０には、合計１２個のＬＥＤ照明装置へのＬＡＮケーブル接続用のＬＡＮポート（以下、便宜上、「ＬＥＤポート」と称する。）と、１個のイーサネットスイッチ２０のＬＡＮケーブル接続用のＬＡＮポート（以下、便宜上、「ＥＳポート」と称する。）と、２個の（詳細は後述する）壁面スイッチＳＷ（図示の例ではＳＷ１，ＳＷ２）のＬＡＮケーブル接続用のＬＡＮポート（以下、便宜上、「ＳＷポート」と称する。）からなる合計１５個のＬＡＮポートが設けられている。各受電側装置２５０には、（正極及び負極用の）２本の給電線６５を介して各１本のＬＥＤ照明装置６０が接続される。このようにして、一つのイーサネットスイッチ２０を１本のＬＡＮケーブル２５により接続した一つの給電側装置２３０に、所定数のＬＡＮケーブル３５（通常は、ＬＥＤ照明出力用ＬＡＮポートと同一数で、最大限、ＬＡＮポートの数と同一数のＬＡＮケーブル）が接続され、当該ＬＡＮケーブル３５を介して、対応する所定数の受電側装置２５０が給電側装置２２０に接続されて、一つの給電側装置２３０により、当該所定数の受電側装置２５０を介して各ＬＥＤ照明装置６０への給電が行われる。
【００６７】
ここで、給電側装置２２０のＬＥＤポートは、給電制御装置２３０の直流電力をＬＥＤ照明装置６０に出力するものであり、通常のＬＡＮポートの一つであるが、本発明の説明では、前記給電制御装置２３０の所定の制御回路の制御を受けて（当該制御回路に接続した）ＬＥＤ照明用電源からの設定済みの直流電力をＬＥＤ照明装置６０に出力するという意味で、「ＬＥＤポート」と称している。また、給電側装置２２０のＥＳポートは、イーサネット２０の出力信号を入力するものであり、通常のＬＡＮポートの一つであるが、本発明の説明では、給電側装置２２０に端末制御装置７０の制御信号を中継するイーサネットスイッチ２０を接続し、その制御信号を給電制御装置２３０の（後に詳述する）所定の制御基板の対応する（端末制御装置７０からの制御信号処理用の）制御回路に供給するという意味で、「ＥＳポート」と称している。同様に、給電側装置２２０のＳＷポートは、壁面スイッチＳＷ１の制御信号を入力するものであり、通常のＬＡＮポートの一つであるが、本発明の説明では、壁面スイッチＳＷの制御信号を前記給電制御装置２３０の所定の制御基板の対応する（壁面スイッチＳＷからの制御信号処理用の）制御回路に供給するという意味で、「ＳＷポート」と称している。なお、給電側装置２２０の複数個のＳＷポートには、通常は、１個の壁面スイッチＳＷを一つ給電側装置２２０に接続するが、図１１に示すように、当該複数個までの（ＳＷポートが２個の場合は２個の）壁面スイッチＳＷ１，ＳＷ２を同数の（ＳＷポートが２個の場合は２本の）ＬＡＮケーブルを介して接続する（即ち、増設する）こともできる。この場合、壁面スイッチＳＷが有するボタンの数が、壁面スイッチの接続数の増加分だけ増加することになり、１台の給電側装置２２０により制御できるＬＥＤ照明装置の本数又は対数をその分だけ増加して、照明スペースの増大や（特にグループ分けを多様化する等による）照明態様の多様化に対応することができる。
【００６８】
図１２に示すように、イーサネットスイッチ２０のＬＡＮケーブル２５と給電側装置２２０との接続形態、及び、給電側装置２２０の各ＬＡＮケーブル３５と各受電側装置２５０との接続形態は、実施の形態１と同様である。また、実施の形態１と同様、ＬＥＤ照明装置６０は、所定数を一単位としてユニット化され、一つの給電側装置２２０に当該所定数と同一数のＬＡＮケーブル３５と、当該所定数と同一数の受電側装置２５０を介して接続されている。例えば、図示の例では、１２本のＬＥＤ照明装置６０を一単位としてユニット化し、１２個の受電側装置２５０及び１２本のＬＡＮケーブル３５を介して、１つの給電側装置２２０に接続している。
【００６９】
＜給電制御装置＞
給電制御装置２３０は、給電側装置２２０の出口ポートに装着したＬＡＮケーブル３５の予備対としての撚対線Ｃ４，Ｃ５及び撚対線Ｃ７，Ｃ８を介して、受電側装置２５０に対して、前記所定の設定済み直流電力を供給するための制御動作を実行する。詳細には、実施の形態４では、給電制御装置２３０は、ＬＡＮケーブル３５の予備対としての撚対線Ｃ４，Ｃ５及び撚対線Ｃ７，Ｃ８を、それぞれ、電力を供給する給電対として使用するが、実施の形態１の給電制御装置３１について述べたような変形構成（ＩＥＥＥ８０２．３ａｆ又はＩＥＥＥ８０２．３ａｔ規格のＰＳＥの制御部分と同様の構成）を備えるものではなく、給電制御装置２３０により、受電側装置２５０の検出のための制御、（任意の構成であるが）検出した受電側装置２５０の種類の識別（定格判別）のための制御、検出後にのみ受電側装置２５０への正式な給電を開始するための制御、受電側装置２５０への給電遮断の制御等、各種の制御のための構成を採用していない。
【００７０】
詳細には、給電制御装置２３０は、まず、図１３に示すように、実施の形態１の給電制御装置３１と同様に、中央処理装置（ＣＰＵ）等からなる主制御部２３１、ＲＯＭやＲＡＭ等のメモリーからなる設定記憶部２３２、ＭＯＳＦＥＴ等からなる電圧制御部２３３、電圧検出用抵抗等からなる電圧検出部２３４、電流検出用抵抗等からなる電流検出部２３５を備えている。これに加え、給電制御装置２３０は、実施の形態１の受電制御装置５０側で実行していた制御のための電気・電子素子を含む制御回路の構成と同様の構成を備えている。具体的には、給電制御装置２３０は、ＯＮ／ＯＦＦ部２３６、調光部２３７、及び照明態様制御部２３８、定電流制御部２３９を備えている。また、給電制御装置２３０には、ＬＥＤ照明装置６０への直流電力を供給するためのＬＥＤ電源装置２４１が接続されている。ＬＥＤ電源装置２４１は、給電制御装置２３０を介して、使用するＬＥＤ照明装置６０の定格に応じた所定電圧値及び所定電流値の直流電力を給電するものであり、典型的には、給電制御装置２３０の制御により、４８Ｖの定電圧値の直流電力をＬＥＤ照明装置の照明態様に応じた定電流値で、受電側装置２５０を経てＬＥＤ照明装置６０に供給するものである。そして、実施の形態４では、給電制御装置２３０とＬＥＤ電源装置２４１との間でのクローズドループ制御（閉ループ制御）により、給電制御装置２３０を介して、ＬＥＤ電源装置２４１が、前記設定済みの直流電力を、受電側装置２５０を経てＬＥＤ照明装置６０に供給するようになっている。なお、給電制御装置２３０には、給電制御装置２３０自体（即ち、給電制御装置２３０の制御基板や電気・電子素子を含む制御回路等）への作動電力供給用の基板電源装置２４２も接続されている。なお、基板電源装置２４２は、典型的には、１２Ｖの定電圧値の直流電力を給電制御装置２３０に供給するものである。
【００７１】
＜主制御部＞
より詳細には、主制御部２３１は、イーサネットスイッチ２０の制御部であるイーサネットコントローラ２１に対して、前記ＬＡＮケーブル３５の信号対である撚対線Ｃ１，Ｃ２及び撚対線Ｃ３，Ｃ６を介して接続されている。本実施の形態のＬＥＤ照明装置の照明制御システムを使用したＬＥＤ照明装置の照明制御動作時において、主制御部２３１は、端末制御装置７０からイーサネットコントローラ２１を介して給電側装置２２０のＥＳポートに入力される制御信号、又は、壁面スイッチＳＷから給電側装置２２０のＳＷポートに入力される制御信号に基づいて、１ユニットのＬＥＤ照明装置６０の全体又は特定のグループのＬＥＤ照明装置の全体をオン・オフするためのＯＮ／ＯＦＦ部２３７に対するオン／オフ指令、１ユニットのＬＥＤ照明装置６０の全体又は特定のグループのＬＥＤ照明装置の全体を調光するための調光部２３８に対する所定の調光制御指令、１ユニットのＬＥＤ照明装置６０の全体又は特定のグループのＬＥＤ照明装置の全体を所定の照明態様で発光駆動するための照明態様制御部２３８に対する所定の照明制御指令をそれぞれ出力する。また、電圧制御部２３３による電圧制御動作、及び、定電流制御部２３９による定電流制御動作は、ＯＮ／ＯＦＦ部２３６によるスイッチオン動作があって、初めて開始及び実行される。したがって、主制御部２３１の制御に従って、ＯＮ／ＯＦＦ部２３６によるスイッチオン動作があって、初めて、ＬＥＤ電源装置２４１からの直流電力が、前記電圧制御部２３３により所定の定電圧値に維持されると共に、定電流制御部２３９により（ＬＥＤ照明装置６０の所定の照明態様を得るための）所定の定電流値を維持し、或いは、所定の電流変化状態を継続するように制御された状態で、ＬＡＮケーブル３５を介してＬＥＤ照明装置６０に供給される。一方、ＯＮ／ＯＦＦ部２３６によるスイッチオフ動作があると、定電流制御部２３９から、ＬＡＮケーブル３５を介した受電側装置２５０への給電動作（そして、給電線６５を介したＬＥＤ照明装置６０への給電動作）は停止（遮断）される。
【００７２】
＜設定記憶部＞
給電制御装置２３０は、ＬＥＤ照明装置６０を一つの給電装置２３０に接続する全数からなる１ユニット単位で所定の照明態様となるよう発光駆動するよう（又は、後述するように、１ユニットを複数グループにグループ分けしてグループごとに異なる所定の照明態様で発光駆動するよう）、ＬＥＤ電源装置２４１の直流電力を所定電圧値及び所定電流値の設定済み直流電力へと変換し、その変換後の設定済み直流電力を受電側装置２５０を介してＬＥＤ照明装置６０に供給するが、その前処理として、給電制御装置２３２は、各種の照明態様を得るために必要な設定済み直流電力を生成するためのパラメータ値やプログラム（ファームウエア）を、それぞれ、各照明態様に関連付けて設定記憶部２３０の所定の記憶領域（所定アドレス）に記憶して保存しておく。この設定記憶処理は、例えば、ＬＥＤ照明装置６０の通常動作時の給電モード（基本動作モード）用の基本動作用パラメータ値を設定する基本動作用設定記憶処理と、ＬＥＤ照明装置６０の調光動作時や点滅動作時やグルーピング照明動作時等、特定の照明態様を得るための給電モード（照明制御モード）用の照明制御用パラメータ値を設定する照明制御用設定記憶処理とから構成することができる。この場合、例えば、基本動作モードは、給電制御装置２３０からＬＥＤ照明装置６０に対して、ＬＥＤ照明装置６０の通常動作時の直流電力を供給するモードとし、基本動作用設定記憶処理は、ＬＥＤ照明装置６０（直管型ＬＥＤランプ等）の定格（定格電圧、定格電流等）に応じて設定された直流電力のパラメータ値（電圧値及び電流値等）を、当該基本動作用パラメータ値として設定して記憶する処理とすることができる。また、照明制御用モードは、給電制御装置２３０からＬＥＤ照明装置６０に対して、ＬＥＤ照明装置６０の特定の照明態様を得るための照明制御時の直流電力を供給するモードとし、照明動作用設定記憶処理は、所望の照明態様ごとに（即ち、長孔用、点滅用、グルーピング照明用等の各々の照明態様について）、前記基本動作用パラメータ値に基づく直流電力（基本動作電力）を使用して、各照明態様を得るためのプログラムを設定し、ファームウエアとして記憶する処理とすることができる。なお、この照明動作用設定記憶処理については、後に詳述する。
【００７３】
＜電圧制御部＞
また、主制御部２３１による受電側装置２５０への設定済みの直流電力は、その定電圧値として、ＬＥＤ照明装置６０の種類や定格に応じた最適な点灯動作（最大発光効率での点灯動作）に要求される所定電圧値となるよう、主制御部２３１の指令に従って電圧制御部２３３により制御される。例えば、本願の出願人が独自に開発した新規なＬＥＤ照明装置６０の場合、最適な点灯動作（最大発光効率での点灯動作）に要求される所定電圧値は、典型的には、４３Ｖ〜４８Ｖの範囲内であるため、この場合、主制御部２３１は、電圧制御部２３３を使用して、ＬＥＤ電源装置２４１の電源電圧（４８Ｖ）を、そのままＬＥＤ照明装置６０への給電用の設定電圧値として維持する制御を行うと共に、受電側装置２５０への実際の供給電圧値を検出する電圧検出部２３４の検出値（出力値）を使用した帰還制御（フィードバック制御）により、受電側装置２５０に供給する直流電力の電圧値が前記設定電圧値を維持するように制御を行う。
【００７４】
＜照明制御部＞
前記ＯＮ／ＯＦＦ部２３６、調光部２３７、照明態様制御部２３８は、本実施の形態の照明制御部を構成し、このうち、ＯＮ／ＯＦＦ部２３６は、主制御部２３１の指令を受けて、給電制御装置２３０からのＬＥＤ照明装置６０への給電を、選択的にオン（接続）又はオフ（遮断）するものであり、例えば、（トランジスタ等を利用した）スイッチング回路から構成される。また、調光部２３６は、主制御部２３１の指令を受けて、ＬＥＤ照明装置６０の調光制御を行うものであり、例えば、振幅制御回路又はパルス幅制御回路等により構成される。また、照明態様制御部２３７は、主制御部２３１の指令を受けて、ＬＥＤ照明装置６０を各種の照明態様で発光するよう制御するものである。照明態様制御部２３８による照明態様としては、実施の形態１で述べたものと同様のものを採用することができる。
【００７５】
＜定電流制御部＞
定電流制御部２３９は、電圧制御部２３３により一定の設定電圧値に維持した直流電流を、ＬＥＤ照明装置６０の最適な点灯動作（最大発光効率での点灯動作、或いは、前記調光部２３７や照明態様制御部２３８による所定の照明態様での点灯動作）に要求される所定電流値の定電流となるよう制御するものであり、定電流制御用のレギュレーターや定電流制御用のＤＣ／ＤＣコンバータ等により構成される。この場合、主制御部２３１は、定電流制御部２３９を使用して、ＬＥＤ電源装置２４１の電源電流を、ＬＥＤ照明装置６０への給電用の設定電流値に変換して維持する制御を行うと共に、受電側装置２５０への実際の供給電流値を検出する電流検出部２３５の検出値（出力値）を使用した帰還制御（フィードバック制御）により、受電側装置２５０に供給する直流電力の電流値が前記設定電流値を維持するように制御を行う。なお、例えば、調光動作の場合は、定電流制御部２３９による電流値は、調光部２３７による調光操作の途中過程では当然に増減変化するが、一定の調光状態を得た後は、その調光状態に応じた定電流となる。
【００７６】
ここで、給電制御装置２３０による設定済みの直流電力は、例えば、ＬＥＤ照明装置６０として定格消費電力が２０ＷのＬＥＤ照明装置６０を１本だけ給電側装置２２０に接続する構成を採用する場合、電圧値を４８Ｖ、電流値を約４２０ｍＡに設定することができる（この場合、電力値は約２０Ｗとなる）。いずれの場合も、給電側装置２２０の給電制御装置２３０から受電側装置２５０に供給する直流電力は、電圧値を４８Ｖの定電圧値とし、電流値をＬＥＤ照明装置６０の照明態様に応じた定電流値（最大で定格電流値）とする。よって、ＬＥＤ照明装置６０として定格消費電力が２０ＷのＬＥＤ照明装置６０を２本を一対として給電側装置２２０に接続する構成を採用する場合、電圧値を４８Ｖ、電流値を約８４０ｍＡに設定することができる（この場合、電力値は約２０Ｗ×２＝約４０Ｗとなる）。したがって、実施の形態４でも、実施の形態１と同様、大容量の電流伝送に耐えうるよう、給電側装置２２０から受電側装置２５０への給電を行うＬＡＮケーブル３５として、ＣＡＴ６のＬＡＮケーブル３５を使用している。
【００７７】
なお、実施の形態１でも述べたように、本願の出願人が独自に開発した新規なＬＥＤ照明装置６０の場合、最適な点灯動作（最大発光効率での点灯動作）に要求される所定電流値は、典型的には、４２０ｍＡ〜８４０ｍＡの範囲内であるため、この場合、定電流制御部２３９は、電圧制御部２３３により一定の設定電圧値に維持した直流電流を、当該範囲内の所定の電流値（例えば、４２０ｍＡ）の定電流となるよう制御する。したがって、この場合、給電側装置２２０からＬＥＤ照明装置６０に出力される直流電力の電力値は、例えば、４３Ｖ×０．４２Ａ＝約１８Ｗとなる。
【００７８】
＜設定済み直流電力給電装置＞
給電制御装置２３０は、マイコン制御装置等と同様のコンピュータ装置のハードウエア資源（ＣＰＵ、メモリ、Ｉ／Ｏ等）を利用すると共に、所定の組込制御プログラム（ファームウエア）からなるソフトウエア資源を利用して、上記の所定の各機能を実現するようになっている。なお、給電制御装置２３０は、電源を投入した状態でのＬＡＮケーブル２５，３５の脱着を可能にするホットスワップ（活線挿抜）部を備えてもよい。また、上記イーサネットスイッチ２０及び給電側装置２２０の組合せは、実施の形態４の設定済み直流電力給電装置を構成する。ここで、実施の形態１では、給電装置１０から給電側装置３０に供給される直流電力は、電圧値が２４Ｖ、電流値が１．６Ａに設定されている（電力値は３８Ｗ）が、実施の形態４では、給電装置１０から給電側装置２２０に供給される直流電力は、２４Ｖの電圧値とする以外に４８Ｖの電圧値とすることもできる。また、給電側装置２２０は、給電装置１０からの直流給電以外に、商用交流電力を入力し、その交流電力を前記所定の設定済みの直流電力に変換して受電側装置２５０に供給する構成とすることもでき、この場合、通常の家屋等、電源として商用交流電力の使用が容易である設置対象の建造物乃至構築物において、給電側装置２２０への電源の供給を容易にすることができる。
【００７９】
＜受電側装置２５０＞
実施の形態１の受電側装置４０は、内部に受電制御装置５０を備え、給電制御装置３１からの制御信号を受けて所定の制御動作を実行するものであるが、実施の形態４の受電側装置２５０は、図１２に示すように、単に、ＬＡＮケーブル３５を接続するＬＡＮポート２５１と、給電線６５を接続する給電ポート２５２と、ＬＡＮポート２５１及び給電ポート２５２間を電気的に接続する導線ＣＬとを備える単純な構成である。即ち、実施の形態４では、給電側装置２２０から受電側装置２５０へは、単に、所定の制御済みの直流電力が供給されるだけであり（その構成は後に詳述する）、実施の形態１のように制御信号の授受が行われることはないため、受電側装置２５０は、内部に受電制御装置と同様の構成を備える必要がなく、その分、構成をコンパクトかつ安価なものとすることができる。したがって、給電側装置２２０からの給電をＬＡＮケーブル３５の予備対Ｃ４，Ｃ５及び予備対Ｃ７，Ｃ８を利用して行う場合、図１２に示す受電側装置２５０内部の信号対Ｃ１，Ｃ２及び信号対Ｃ３，Ｃ６のための構成（特に、パルストランス等の制御信号授受のための構成）を省略することもできる。なお、給電側装置２２０からの給電をＬＡＮケーブル３５の信号対Ｃ１，Ｃ２及び信号対Ｃ３，Ｃ６を利用して行う（即ち、ファントム給電することも）当然可能であり、この場合は、受電側装置２５０内部の信号対Ｃ１，Ｃ２及び信号対Ｃ３，Ｃ６をＬＡＮケーブル３５の信号対Ｃ１，Ｃ２及び信号対Ｃ３，Ｃ６と電気的に接続するための構成は必要となる。
【００８０】
また、受電側装置２５０は、給電側装置２２０の出口ポートに挿着したＬＡＮケーブル３５の給電対としての撚対線Ｃ４，Ｃ５及び撚対線Ｃ７，Ｃ８を介して、給電制御装置２３０によって制御された設定済みの直流電力の供給を受ける。具体的には、実施の形態１と同様、ＬＡＮケーブル３５の給電対としての撚対線Ｃ４，Ｃ５及び撚対線Ｃ７，Ｃ８が、当該ＬＡＮケーブル３５のＲＪ−４５コネクタの対応するピンを介して、受電側装置２５０のＬＡＮポート２５１に接続され、（前記給電制御装置２３０からの）当該撚対線Ｃ４，Ｃ５及び撚対線Ｃ７，Ｃ８を介した設定済みの直流電力が、受電側装置２５０に入力されて給電が行われる。受電側装置２５０は、給電対としての撚対線Ｃ４，Ｃ５及び撚対線Ｃ７，Ｃ８からの直流電力を、給電線６５を介してＬＥＤ照明装置６０に供給し、これにより、設定済みの直流電力に応じた制御態様で、ＬＥＤ照明装置６０の照明制御が実行される。
【００８１】
＜第１の変更例の信号・電力送受装置＞
実施の形態４のＬＥＤ照明装置の照明制御システムは、端末制御装置７０の制御信号の送受信及び給電装置１０の直流電力の供給を行う信号・電力送受装置として、図１１に示すように、前記イーサネットスイッチ２０と給電側装置２２０とを別個に配設する構成を採用しているが、実施の形態１の第１の変更例と同様、信号・電力送受装置としては、これに代えて、図１４に示すように、イーサネットスイッチ２０と給電側装置２２０とを（図１４中に二点鎖線で示す）筺体８０内部に一体的に配設する構成を採用してもよい。この場合、第１の変更例に係る信号・電力送受装置は、給電側装置２２０の構成が給電側装置３０と異なる点と、上記のとおりイーサネットスイッチ２０が１本のＬＡＮケーブル２５で給電側装置２２０に接続される点を除き、実施の形態１の第１の変更例の構成（図３の構成）と同様である。
【００８２】
＜第２の変更例の信号・電力送受装置＞
実施の形態４のＬＥＤ照明装置の照明制御システムは、実施の形態１の第２の変更例と同様、前記信号・電力送受装置に代えて、図１５に示すように、イーサネットスイッチ２０と給電側装置２２０とを筺体内部に一体的に配設した一体構成の信号・電力送受装置２９０を採用してもよい。この場合、第２の変更例に係る信号・電力送受装置２９０は、給電側装置２２０の構成が給電側装置３０と異なる点を除き、実施の形態１の第２の変更例の構成（図４の構成）と同様である。
【００８３】
＜第３の変更例の信号・電力送受装置＞
実施の形態１のＬＥＤ照明装置の照明制御システムは、実施の形態１の第３の変更例と同様、端末制御装置７０の制御信号の送受信及び給電装置１０の直流電力の供給を行う信号・電力送受装置として、図１１に示す（又は図１２に示す）信号・電力送受装置に代えて、図１６に示すように、給電装置１０Ａとイーサネットスイッチ２０と給電側装置２２０とを（図１６中に二点鎖線で示す）筺体１００内部に一体的に配設する構成を採用してもよい。この場合、第３の変更例に係る信号・電力送受装置３００は、給電側装置２２０の構成が給電側装置３０と異なる点と、上記のとおりイーサネットスイッチ２０が１本のＬＡＮケーブル２５で給電側装置２２０に接続される点を除き、実施の形態１の第３の変更例の構成（図６の構成）と同様である。
【００８４】
実施の形態５
図１７に示すように、実施の形態５に係るＬＥＤ照明装置の照明制御システムは、実施の形態４に係るＬＥＤ照明装置の照明制御システムとほぼ同様の構成であるが、受電側装置３５０が２本のＬＥＤ照明装置６０（２本で一対のＬＥＤ照明装置対６０Ｐ）を電気的に並列に接続した点において、実施の形態４と異なる。なお、この図１７の例は、図７に示す実施の形態２に対応するものであり、信号・電力送受装置は、図１１の例の信号・電力送受装置と同様、イーサネットスイッチ２０と給電側装置２２０とを別個に配設する構成であるが、これを、図１４に示す第１の変更例に係る構成の信号・電力送受装置としたり、図１５に示す第２の変更例に係る構成の信号・電力送受装置としたりすることもできる。即ち、実施の形態５の信号・電力送受装置は、実施の形態４の信号・電力送受装置（第１〜第３の変更例も含む）と同様の構成である。
【００８５】
実施の形態５の受電側装置３５０について、（信号・電力送受装置として図１５に示す第２の変更例を使用した）図１８、及び、（信号・電力送受装置として図１３の実施の形態４の構成を使用した）図１９を参照して説明すると、まず、図１８に示すように、受電側装置３５０は、実施の形態４の受電側装置２５０と同様、単に、ＬＡＮケーブル３５を接続するＬＡＮポート２５１と、給電線６５を接続する給電ポート３５２と、ＬＡＮポート２５１及び給電ポート３５２間を電気的に接続する導線ＣＬとを備える単純な構成であり、ＬＡＮポート２５１に接続したＬＡＮケーブル３５の信号対としての撚対線Ｃ１，Ｃ２及び撚対線Ｃ３，Ｃ６からの直流電力を、給電ポート３５２から２本を一対としたＬＥＤ照明装置６０の対（ＬＥＤ照明装置対６０Ｐ）に中継して供給するようになっている。即ち、受電側装置３５０は、給電ポート３５２に２対（４個の）接続口を設けて２対（４本）の給電線６５を接続するようになっており、かかる２対の給電線６５介して、２本のＬＥＤ照明装置６０を電気的に並列に接続し、２本のＬＥＤ照明装置６０に直流電力を供給する。なお、図１９に示すように、受電側装置３５０は、１本のＬＡＮケーブル３５を介して給電側装置２２０に接続されており、照明制御の構成及び方法は、実施の形態４の場合と同様である。
【００８６】
実施の形態６
図２０に示すように、実施の形態６に係るＬＥＤ照明装置の照明制御システムは、実施の形態４に係るＬＥＤ照明装置の照明制御システムとほぼ同様の構成であるが、給電側装置３６０及び受電側装置３７０の構成において、実施の形態４と異なる。詳細には、実施の形態６に係るＬＥＤ照明装置の照明制御システムは、実施の形態３に係るＬＥＤ照明装置の照明制御システムに対応するものであり、給電側装置３６０は、内部の給電制御装置２３０が実施の形態３の給電制御装置３１と異なる点を除いて、実施の形態３の給電側装置１６０と同様の構成である。また、受電側装置３７０は、実施の形態４の受電側装置２５０と同様の構成である。そして、実施の形態６に係るＬＥＤ照明装置の照明制御システムは、実施の形態３に係るＬＥＤ照明装置の照明制御システムと同様、給電制御装置２３０からの直流電力を、予備対としての撚対線Ｃ４，Ｃ５及び撚対線Ｃ７，Ｃ８ではなく、信号対としての撚対線Ｃ１，Ｃ２及び撚対線Ｃ３，Ｃ６を介して伝送すべく、いわゆるファントム給電技術を利用している。
【００８７】
実施の形態７
図２１に示すように、実施の形態７に係るＬＥＤ照明装置の照明制御システムは、直流電力供給装置４１０からの直流電力を、給電側装置４３０に供給する構成である。図２１中、直流電力供給装置４１０は実施の形態４のＬＥＤ電源装置２４１と同様の構成であり、壁面スイッチ４２０は前記壁面スイッチＳＷと同様の構成であり、給電側装置４３０は、実施の形態４（又はその変更例）の給電制御装置２２０と同様の構成であり、イーサネットスイッチ４４０は前記イーサネットスイッチ２０と同様の構成である。そして、実施の形態７では、端末制御装置７０からイーサネットスイッチ４４０を介した指令に応じて、又は、壁面スイッチ４２０からの指令に応じて、給電側装置４３０が、所定の直流電力を受電側装置３５０を介して、所定数のＬＥＤ照明装置対６０ＰからなるＬＥＤ照明ユニットＬＵに供給するようになっている。なお、実施の形態７では、端末制御装置７０（通常はＰＣ）の代わりに、スマートフォンや携帯電話等の携帯端末装置７０Ｓからの指令に基づいても、給電側装置４３０が、所定の直流電力を受電側装置３５０を介して、所定数のＬＥＤ照明装置対６０ＰからなるＬＥＤ照明ユニットＬＵに供給するようになっている。
【００８８】
実施の形態８
図２２に示すように、実施の形態８に係るＬＥＤ照明装置の照明制御システムは、太陽光パネル１２からの直流電力を、パワーコンディショナー５１０を介して給電側装置４３０に供給する構成とした点、及び、給電側装置４３０をカスケード接続した点を除き、実施の形態７に係るＬＥＤ照明装置の照明制御システムと同様の構成である。
【００８９】
実施の形態９
次に、上記実施の形態４〜実施の形態８のＬＥＤ照明装置の照明制御システムで使用可能な設定済み直流電力給電装置４３０及び受電側装置３５０の具体的構成について、実施の形態９として、図２３及び図２４を参照して説明する。まず、図２３に示すように、設定済み直流電力給電装置４３０は、実施の形態７及び実施の形態８の給電側装置４３０に対応するものであるが、実施の形態７及び実施の形態８の給電側装置４３０が、外部の直流電源（直流電力供給装置４１０からなる直流電源又は太陽光パネル１２及びパワーコンディショナー５１０からなる直流電源）を使用するのに対し、実施の形態９の設定済み直流電力給電装置４３０は、外部直流電源に対応する直流電源を内蔵する構成である。詳細には、設定済み直流電力給電装置４３０は、筺体４３１の内部に、実施の形態４で述べたＬＥＤ電源装置２４１に対応する（２個の）ＬＥＤ電源装置４３３Ａ，４３３Ｂを内蔵すると共に、実施の形態４で述べた基板電源装置２４２に対応する（２個の）基板電源装置４３４Ａ，４３４Ｂを内蔵するものである。また、設定済み直流電力給電装置４３０は、筺体４３１の一側面に、（商用交流電源等の）ＡＣ電源を接続するＡＣ接続端子４３２を備え、ＡＣ電源の交流電力を、ケーブル配線ＣＷを介してＬＥＤ電源装置４３３Ａ，４３３Ｂ及び基板電源装置４３４Ａ，４３４Ｂに供給し、ＬＥＤ電源装置４３３Ａ，４３３Ｂで所定電圧（典型的には４８Ｖ）の直流電力に変換すると共に、基板電源装置４３４Ａ，４３４Ｂで所定電圧（典型的には１２Ｖ）の直流電力に変換するようになっている。
【００９０】
［給電制御ユニット］
更に、設定済み直流電力給電装置４３０は、前記給電制御装置２３０に対応する給電制御ユニット４４０を筺体４３１の内部に実装している。給電制御ユニット４４０は、基板４４１の上に、電源接続ポート４４２、合計４個の中央処理装置（ＣＰＵ）４４３Ａ，４４３Ｂ，４４３Ｃ，４４３Ｄ、ＲＯＭやＲＡＭ等のメモリーやコンデンサー等からなる所定の電気・電子部品４４４（図２３では１個のみ図示しているが、実際は制御回路の設計に応じた必要種類及び必要数が設けられる）、合計６枚（３枚を組みとする一対で６枚）の電力制御基板（ドライバー基板）４４５Ａ，４４５Ｂ、ＬＥＤ照明装置６０への給電用のＬＡＮケーブル３５接続用の２個（一対）のＬＡＮ接続部４４６Ａ，４４６Ｂ、壁面スイッチＳＷからのＬＡＮケーブル接続用の１個のＬＡＮ接続部４４７、及び、端末制御装置７０からの制御信号を中継するイーサネットスイッチ２０からのＬＡＮケーブル２５接続用の１個のＬＡＮ接続部４４８を前記基板４４１に実装している。
【００９１】
＜電源接続ポート＞
詳細には、電源接続ポート４４２は、基板電源装置４３４Ａ，４３４Ｂからの所定電圧値の直流電力を、基板４１上の電力消費部品としての各種電子部品（中央処理装置４４３Ａ〜４４３Ｄ、電力制御基板４４５Ａ，４４５Ｂ等）に対して、動作用の電力として供給するものである。また、電源接続ポート４４２は、ＬＥＤ電源装置４３３Ａ，４３３Ｂからの所定電圧の直流電力を、前記給電制御部２３０に相当する給電制御部を構成する基板４４１上の各種電子部品（中央処理装置４４３Ａ〜４４３Ｄ、電力制御基板４４５Ａ，４４５Ｂ等）に供給するものでもある。
【００９２】
＜中央処理装置（主制御部）＞
合計４個の中央処理装置（ＣＰＵ）４４３Ａ，４４３Ｂ，４４３Ｃ，４４３Ｄは、それぞれ、前記給電制御装置２３０の主制御部２３１に相当する主制御部を構成するものであるが、実施の形態９では、使用目的に応じて、４個の（４種類の）中央処理装置を設け、４個の主制御部により、使用目的に応じた最適な制御動作を確保するようになっている。具体的には、４個の中央処理装置４４３Ａ，４４３Ｂ，４４３Ｃ，４４３Ｄのうち、第１の中央処理装置４４３Ａは、端末制御装置７０，７０Ｓからの指令に応じた制御処理を実行するためのものである。即ち、上記実施の形態１〜８のＬＥＤ照明装置の照明制御システムでは、端末制御装置７０，７０Ｓに実装したウエブブラウザ機能等を利用して、所定の通信プロトコル（典型的には、ｈｔｔｐ）による所定コマンド（ｇｅｔコマンド等）を、給電側装置３０，２２０の給電制御装置３１，２３０に出力し、そのコマンドに応じた制御処理を給電制御装置３１，２３０が（主制御部２３１等を使用して）実行するようになっている。したがって、第１の中央処理装置４４３Ａは、かかる端末制御装置７０，７０Ｓからの指令に応じた制御動作を実行する専用の中央処理装置（以下、便宜上、「ＷＥＢ処理用中央処理装置」と称する。）として実装されている。
【００９３】
また、４個の中央処理装置４４３Ａ，４４３Ｂ，４４３Ｃ，４４３Ｄのうち、第２の中央処理装置４４３Ｂは、複数台（多数台）の給電側装置４３０はカスケード接続する場合の制御処理を実行するためのものである。即ち、実施の形態８で述べたように、給電側装置４３０はカスケード接続により複数台（多数台）を接続することもできる。したがって、第２の中央処理装置４４３Ｂは、カスケード接続する給電側装置４３０（実施の形態９の場合は設定済み直流電力給電装置４３０）の台数等の条件に応じて、カスケード接続した給電側装置４３０又は設定済み直流電力給電装置４３０が、所定の動作を最適な動作態様で実行できるような制御を実行する。また、第２の中央処理装置４４３Ｂは、カスケード接続した給電側装置４３０又は設定済み直流電力給電装置４３０が接続順序の何番目に位置するか等も判断し、接続順序に応じた給電制御動作を実行することができる。例えば、第２の中央処理装置４４３Ｂは、ある接続順番に位置する給電側装置２３０に接続されたＬＥＤ照明装置６０を、そのＬＥＤ照明装置６０に特有の照明態様（他の給電側装置２３０に接続されたＬＥＤ照明装置６０の照明態様とは異なる照明態様）で発光駆動するよう給電制御することもできる。即ち、中央処理装置４４３Ｂは、カスケード接続の場合の制御処理に特化したものであり、かかるカスケード接続制御動作を実行する専用の中央処理装置（以下、便宜上、「カスケード接続処理用中央処理装置」と称する。）として実装されている。
【００９４】
また、４個の中央処理装置４４３Ａ，４４３Ｂ，４４３Ｃ，４４３Ｄのうち、第３の中央処理装置４４３Ｃ及び第４の中央処理装置４４３Ｄは、これら２個を一対として、ＬＥＤ照明装置６０への給電制御用の制御処理を実行するためのものである。即ち、これら２個の中央処理装置は、特に、上記した給電制御装置２３０の主制御部２３１等による、ＬＥＤ照明装置６０への設定済み直流電力を得るための制御処理に特化したものであり、かかる給電制御動作を実行する専用の中央処理装置（以下、便宜上、「ＬＥＤ給電処理用中央処理装置」と称する。）として実装されている。具体的には、一方のＬＥＤ給電処理用中央処理装置４４３Ｃは、１２個のＬＥＤ照明装置のうちの半分の６個のＬＥＤ照明装置６０への給電制御を担当するものとし、他方のＬＥＤ給電処理用中央処理装置４４３Ｃは、１２個のＬＥＤ照明装置のうちの残りの半分の６個のＬＥＤ照明装置６０への給電制御を担当するものとして使用する。このように、１ユニットのＬＥＤ照明装置６０への給電のための制御処理を２個の専用の中央処理装置４４３Ｃ，４４３Ｄによって分担して実行することにより、特に、給電制御対象及び照明動作制御対象となるＬＥＤ照明装置６０の数が多くなった場合でも、その制御処理の負荷を分散することができ、安定した給電制御動作及び照明制御動作を確保することができると共に、制御動作におけるレスポンスを向上することもできる。
【００９５】
なお、４個の中央処理装置４４３Ａ，４４３Ｂ，４４３Ｃ，４４３Ｄのうち、３個の中央処理装置は基板４４１の表側に実装され、残りの１個の中央処理装置は基板４４１の裏側に実装されているが、これは、実装スペースの関係を考慮したものであり、表裏いずれに任意の数の中央処理装置を実装することができる（例えば、図示の例では、基板４４１の表側に第１〜第３の中央処理装置４４３Ａ，４４３Ｂ，４４３Ｃを実装し、基板４４１の裏側に第４の中央処理装置４４３Ｄを実装しているが、本発明はこれに限定されるものではない）。
【００９６】
＜メモリー＞
コンデンサー等の所定の電気・電子素子４４４のうち、特に、メモリーは、実施の形態４の給電制御装置２３０の設定記憶部２３２に相当する電子部品であり、前記ＷＥＢ処理用中央処理装置４４３Ａからなる主制御部の制御により、上記のような設定済み直流電力の各種パラメータ値やファームウエアとしての組み込みプログラムを格納するものである。
【００９７】
＜給電制御基板（ドライバー基板）＞
合計６枚（３枚を組みとする一対で６枚）の給電制御基板（ドライバー基板）４４５Ａ，４４５Ｂは、ＷＥＢ処理用中央処理装置４４３Ａからなる主制御部の制御により、メモリーからなる設定記憶部に格納した給電制御情報を利用して、ＬＥＤ電源装置４３３Ａ，４３３Ｂからの直流電力を所定の照明態様を得るための所定の設定済み直流電力へと変換し、当該設定済み直流電力をＬＡＮ接続部４４６Ａ，４４６Ｂから安定してＬＥＤ照明装置６０に供給するものである。ここで、前記２個のＬＡＮ接続部４４６Ａ及びＬＡＮ接続部４４６Ｂは、それぞれ、合計６個のＬＡＮポートＬＰを有しており、ＬＡＮ接続部４４６Ａに３枚の給電制御基板４４５Ａの組が割り当てられると共に、ＬＡＮ接続部４４６Ｂに３枚の給電制御基板４４５Ｂの組が割り当てられている。そして、３枚の給電制御基板４４５Ａの各１枚の出力端子（２個）が、ＬＡＮ接続部４４６Ａの６個のＬＡＮポートのうちの２個のＬＡＮポートに接続されて、各１枚の給電制御基板４４５Ａが、前記設定済みの直流電力を対応するＬＡＮ接続部４４６Ａの２個のＬＡＮポートＬＰに出力するようになっている。同様に、３枚の給電制御基板４４５Ｂの各１枚の出力端子（２個）が、ＬＡＮ接続部４４６Ｂの６個のＬＡＮポートのうちの２個のＬＡＮポートに接続されて、各１枚の給電制御基板４４５Ｂが、前記設定済みの直流電力を対応するＬＡＮ接続部４４６Ｂの２個のＬＡＮポートＬＰに出力するようになっている。更に、各給電制御基板４４５Ａ，４４５Ｂは、ＬＡＮ接続部４４６Ａ，４４６Ｂの各ＬＡＮポートＬＰに異なる電圧値及び／又は電流値の直流電力を供給することができるよう設計されている。こうすると、例えば、上記のように、端末制御装置７０の指令によって、１ユニットの（図示の例では１２本の）ＬＥＤ照明装置６０を複数グループにグルーピングして給電制御装置２３０の設定記憶部２３２に設定記憶しておくことで、端末制御部７０又は壁面スイッチＳＷからの特定グループのＬＥＤ照明装置（例えば、６本１組のグループ）を点灯する指令を受けて、主制御部２３１の制御によって、当該特定グループのＬＥＤ照明装置６０を特定の照明態様で発光駆動することができる。極端な場合、給電制御基板４４５Ａ，４４５Ｂにより、ＬＡＮ接続部４４６Ａ，４４６Ｂの１２個のＬＡＮポートＬＰにそれぞれ異なる電圧値及び／又は電流値の直流電力を供給することで、１２個のＬＥＤ照明装置６０をそれぞれ異なる特定の照明態様で発光駆動することができる。
【００９８】
なお、給電制御基板４４５Ａ，４４５Ｂは、前記給電制御装置２３０の主制御部２３１及び設定記憶部２３２以外の構成、即ち、主制御部２３１の制御により給電制御としての電圧制御や電流制御や照明態様制御を行うための要素である電圧制御部２３３、電圧検出部２３４、電流検出部２３５、ＯＮ／ＯＦＦ部２３６、調光部２３７、照明態様制御部２３８、定電流制御部２３９に相当する構成部材とみなすこともできる。また、給電制御基板４４５Ａ，４４５Ｂは、図示の例では合計６枚が基板４４１に実装されて、合計１２個ＬＡＮポートＬＰに給電出力するようになっているが、その枚数を（３枚、４枚等、６枚より少ない数としたり、８枚、１０枚、１２枚等、６枚より多い数としたり）適宜増減変更することもできる。なお、給電制御基板４４５Ａ，４４５Ｂの枚数は、筺体４３１へのＬＥＤ電源装置４３３Ａ，４３３Ｂの格納スペースの関係で、６枚〜８枚以下（多くても１０枚以下）とすることが好ましく、給電制御基板４４５Ａ，４４５Ｂの枚数を例えば１２枚以上の多数とする場合は、ＬＥＤ電源装置４３３Ａ，４３３Ｂを筺体４３１の外部に実装し、外部から給電する構成とすることが好ましい。
【００９９】
＜ＬＡＮポート＞
ＬＥＤ照明装置６０への給電用のＬＡＮケーブル３５接続用の２個（一対）のＬＡＮ接続部４４６Ａ，４４６Ｂは、上記のとおり、給電制御基板４４５Ａ，４４５Ｂからの設定済み直流電力をＬＡＮケーブル３５を介して受電側装置３５０に供給するためのものである。また、壁面スイッチＳＷからのＬＡＮケーブル接続用の１個のＬＡＮ接続部４４７は、２本のＬＡＮケーブルを接続できるよう２個のＬＡＮポートＬＰを備え、最大で２個の壁面スイッチＳＷからの制御信号を入力して、その制御信号を基板４４１上の中央処理装置４４３Ａ〜４４３Ｄ等に伝送するようになっている。また、端末制御装置７０からの制御信号を中継するイーサネットスイッチ２０からのＬＡＮケーブル２５接続用の１個のＬＡＮ接続部４４８は、１本のＬＡＮケーブルを接続できるよう１個のＬＡＮポートＬＰを備え、端末制御装置７０，７０Ｓからの制御信号を入力して、その制御信号を基板４４１上の中央処理装置４４３Ａ〜４４３Ｄ等に伝送するようになっている。
【０１００】
［受電側装置］
実施の形態９の受電側装置３５０は、図２４に示すように、実施の形態５の受電側装置３５０と同様の構成であり、基板３５１の一端（図示の例では長さ方向一端）に、ＬＡＮケーブル３５を接続するＬＡＮポート部３５３を固定すると共に、基板３５２の他端に給電線６５を接続する給電ポート部３５４，３５５を固定している。なお、図２４に仮想線で示すように、基板３５１にカバー３５２を取り付けてＬＡＮポート部３５３や給電ポート部３５４を保護してもよい。ＬＡＮポート部３５３は、１口のＬＡＮポート３５３ａを有し、１本のＬＡＮケーブルを接続自在である。また、給電ポート部３５４，３５５は、２枚の矩形板状又は矩形ブロック状の基部３５４を重ねて接合すると共に、上側の基部３５４の上面の外端部に、小片矩形平板状の４個の支持部３５５を固定している。また、上側の基部３５４には、一定間隔をおいて、合計で４個の給電ポート３５４ａが形成されている。なお、４個の支持部３５５は、それぞれ厚み方向の中央に、支持部３５５の一側面に開口するスリットを形成したものであり、それぞれのスリットを、基部３５４の４個の給電ポート３５４ａの位置と整合させて配置している。そして、給電ポート部３５４，３５５は、４本の給電線６５の接続端子を、それぞれ、基部３５４の４個の給電ポート３５４ａに挿着して電気的に接続すると共に、４本の給電線６５の接続端子部分をそれぞれ４個の支持部３５５のスリットにより係止して抜け止め等するようになっている。なお、ＬＡＮポート部３５３のＬＡＮポート３５３ａと給電ポート部３５４，３５５の給電ポート３５４ａとは、それぞれ、基板３５１に設けたプリント配線又は導線ＣＬにより電気的に接続されている。これにより、受電側装置３５０は、上記のとおりの簡単な構成として、ＬＡＮポート３５３ａに接続したＬＡＮケーブル３５の信号対としての撚対線Ｃ１，Ｃ２及び撚対線Ｃ３，Ｃ６からの直流電力を、給電ポート３５４ａから２本を一対としたＬＥＤ照明装置６０の対（ＬＥＤ照明装置対６０Ｐ）に中継して供給するようになっている。即ち、受電側装置３５０は、給電ポート部３５４に２対（４個の）接続口としての給電ポート３５４ａを設けて２対（４本）の給電線６５を接続するようになっており、かかる２対の給電線６５を介して、２本のＬＥＤ照明装置６０を電気的に並列に接続し、２本のＬＥＤ照明装置６０に直流電力を供給するようになっている。なお、受電側装置３５０は、基板３５１に逆流防止用のダイオードを実装することもできる。このように、受電側装置３５０は、上記のとおりの簡単な構成なので、安価に製造することができる。特に、ＬＥＤ照明装置６０の数（本数又はつい数）と同数の多数を必要とする受電側装置３５０を安価な構成とすることにより、本発明のＬＥＤ照明装置の照明制御システム全体のコストを大幅に低減することができる。
【０１０１】
実施の形態１０
次に、実施の形態１０に係るＬＥＤ照明装置の照明制御システムについて図２５を参照して説明する。実施の形態１０に係るＬＥＤ照明装置の照明制御システムは、実施の形態４〜実施の形態８のＬＥＤ照明装置の照明制御システムに適用可能な具体的な給電制御機能の一例を実現するものである。
【０１０２】
＜ＷＥＢ画面＞
詳細には、図２５に示すように、実施の形態１０に係るＬＥＤ照明装置の照明制御システムは、端末制御装置７０，７０Ｓの所定の指令を給電制御装置２３０に設定するためのユーザーインタフェースとしてのＷＥＢ画面５２０を、当該端末制御装置７０，７０Ｓのディスプレイに、ウエブブラウザ機能を利用して表示するものである。このＷＥＢ画面５２０は、給電制御装置２３０への指令出力のためのコマンドとして、全体ＯＮ／ＯＦＦコマンドＣ１、全体調光コマンドＣ２、点灯状況確認コマンドＣ３、グルーピングコマンドＣ４、グループ毎ＯＮ／ＯＦＦコマンドＣ５、及び、グループ毎調光コマンドＣ６の各コマンド処理機能を実現する機能実現手段を備えている。全体ＯＮ／ＯＦＦコマンドＣ１は、給電制御装置２３０に接続した全数のＬＥＤ照明装置６０をオン又はオフするためのコマンドであり、全体調光コマンドＣ２は、給電制御装置２３０に接続した全数のＬＥＤ照明装置６０を調光するためのコマンドであり、点灯状況確認コマンドＣ３は、給電制御装置２３０に接続したＬＥＤ照明装置６０の個別の点灯状況を確認するためのコマンドであり、グルーピングコマンドＣ４は、給電制御装置２３０に接続した１ユニットのＬＥＤ照明装置６０を所定数のグループにグループ分けするためのコマンドであり、グループ毎ＯＮ／ＯＦＦコマンドＣ５は、グループ分けした各グループ毎に、その全数のＬＥＤ照明装置６０をオン又はオフするためのコマンドであり、グループ毎調光コマンドＣ６は、グループ分けした各グループ毎に、その全数のＬＥＤ照明装置６０を調光するためのコマンドである。
【０１０３】
＜壁面スイッチ＞
また、実施の形態１０に係るＬＥＤ照明装置の照明制御システムでは、壁面スイッチＳＷが、端末制御装置７０，７０Ｓから給電制御装置２３０に設定した所定の照明態様乃至照明モードでＬＥＤ照明装置６０を発光駆動するための制御信号を、ＬＡＮケーブルを介して給電制御装置２３０に出力する機能を実現する機能実現手段を備えている。詳細には、壁面スイッチＳＷは、ＷＥＢ画面５２０の全体ＯＮ／ＯＦＦコマンドＣ１、全体調光コマンドＣ２、グループ毎ＯＮ／ＯＦＦコマンドＣ５及びグループ毎調光コマンドＣ６と同様のコマンドを給電側装置２３０に出力するためのコマンド出力機能を実現する機能実現手段を備えている。具体的には、壁面スイッチＳＷは、所定の制御基板に所定の複数（例えば、４個）のボタンを実装すると共に、各ボタンをオンすることにより、制御基板の制御により、給電制御装置２３０に接続した全数のＬＥＤ照明装置６０をオン又はオフするためのコマンド、給電制御装置２３０に接続した全数のＬＥＤ照明装置６０を調光するためのコマンド、グループ分けした各グループ毎に、その全数のＬＥＤ照明装置６０をオン又はオフするためのコマンド、及び、グループ分けした各グループ毎に、その全数のＬＥＤ照明装置６０を調光するためのコマンドの各機能を実現するようになっている。また、壁面スイッチＳＷは、前記ＷＥＢ画面の点灯状況確認コマンドＣ３を受けて、壁面スイッチに割り当てたＬＥＤ照明装置６０の点灯状況を、確認表示用ＬＥＤランプや確認表示用ディスプレイ等の表示手段に表示するよう構成することもできる。
【０１０４】
＜給電制御装置＞
また、実施の形態１０に係るＬＥＤ照明装置の照明制御システムでは、給電制御装置２３０は、ＷＥＢ画面５２０の全体ＯＮ／ＯＦＦコマンドＣ１、全体調光コマンドＣ２、点灯状況確認コマンドＣ３、グルーピングコマンドＣ４、グループ毎ＯＮ／ＯＦＦコマンドＣ５、グループ毎調光コマンドＣ６の各コマンドに対応する制御処理機能を実現する機能実現手段を備えている。詳細には、給電制御装置２３０は、全体ＯＮ／ＯＦＦコマンドＣ１に応答して、当該給電制御装置２３０に接続した全数のＬＥＤ照明装置６０をオン又はオフするための全体ＯＮ／ＯＦＦ機能Ｆ１、全体調光コマンドＣ２に応答して、当該給電制御装置２３０に接続した全数のＬＥＤ照明装置６０を調光するための全体調光機能Ｆ２、当該給電制御装置２３０に接続したＬＥＤ照明装置６０の個別の点灯状況をモニターし、点灯状況確認コマンドＣ３に応答して、現在の点灯状況を確認して所定の表示手段に表示するための点灯状況モニター機能Ｆ３、グルーピングコマンドＣ４に応答して、当該給電制御装置２３０に接続した１ユニットのＬＥＤ照明装置６０を所定数のグループにグループ分けするためのグループ設定機能Ｆ４、グループ毎ＯＮ／ＯＦＦコマンドＣ５に応答して、グループ分けした各グループ毎に、その全数のＬＥＤ照明装置６０をオン又はオフするためのグループ毎ＯＮ／ＯＦＦ機能Ｆ５、及び、グループ毎調光コマンドＣ６に応答して、グループ分けした各グループ毎に、その全数のＬＥＤ照明装置６０を調光するためのグループ毎調光機能Ｆ６の各機能を実現する機能実現手段を備えている。
【０１０５】
＜グルーピング＞
前記グルーピングコマンドＣ４による制御について更に説明すると、給電制御装置２３０は、所定数（所定本数又は所定対数）を一つの管理単位（１ユニット）としたＬＥＤ照明装置６０を、当該所定数のＬＥＤ照明装置６０の全数を一括して所定の照明態様で発光駆動するための制御を実行する以外に、グルーピングコマンドＣ４を受けて、当該所定数のＬＥＤ照明装置６０を複数のグループに分割し、各グループのＬＥＤ照明装置６０を別個の所定の照明態様で発光駆動する制御を実行することができる。例えば、このグルーピングでは、所定数のＬＥＤ照明装置６０を、半数ずつの第１グループ及び第２グループの２グループ、１／３の数ずつの第１グループ〜第３グループの３グループ、１／４の数ずつの第１グループ〜第４グループの４グループ等に分割し、あるグループのＬＥＤ照明装置は第１の照明態様で発光駆動し、別のグループのＬＥＤ照明装置は（第１の照明態様とは異なる）第２の照明態様で発光駆動する制御とすることもできる。この場合、給電制御装置２３０の制御は、ＬＥＤ照明装置６０のグループ数と同一数の（異なる照明態様を得るための）別個の設定済み直流電力を、それぞれ、対応するグループのＬＥＤ照明装置に供給する制御となる。或いは、給電制御装置２３０の制御は、所定数のＬＥＤ照明装置６０の各々を個別の照明態様で発光駆動する制御とすることもできる。この場合、給電制御装置２３０の制御は、ＬＥＤ照明装置６０の数と同一数の（異なる照明態様を得るための）別個の設定済み直流電力を、それぞれ、対応する個々のＬＥＤ照明装置に供給する制御となる。
【０１０６】
実施の形態１１
次に、実施の形態１１に係るＬＥＤ照明装置の照明制御システムについて図２６を参照して説明する。実施の形態１１に係るＬＥＤ照明装置の照明制御システムは、実施の形態４〜実施の形態８のＬＥＤ照明装置の照明制御システムにおいて、給電側装置を所定台数（ｎ台）カスケード接続して、給電制御装置を所定台数（ｎ台）カスケード接続し、当該所定台数の給電制御装置の各々により、対応する受電側装置を介して、接続対象のＬＥＤ照明装置に対する給電制御を行う場合の一例を示すものである。なお、実施の形態１１では、給電制御装置１〜ｎには、受電側装置１〜ｎ（各受電側装置１〜ｎは、制御対象の所定数ＬＥＤ照明装置の数と同一数の受電側装置２５０，３５０からなる）を介して、所定数のＬＥＤ照明装置６０又はＬＥＤ照明装置対６０ＰからなるＬＥＤ照明グループ１〜ｎが接続される例を示しているが、給電制御装置１には、受電側装置１を介して、所定数のＬＥＤ照明装置６０又はＬＥＤ照明装置対６０Ｐを２つのグループ（ＬＥＤ照明グループ１−１及びＬＥＤ照明グループ１−２）にグループ分けした場合を示している。
【０１０７】
実施の形態１２
次に、実施の形態１２に係るＬＥＤ照明装置の照明制御システムについて図２７を参照して説明する。実施の形態１２に係るＬＥＤ照明装置の照明制御システムは、実施の形態４〜実施の形態８のＬＥＤ照明装置の照明制御システムに適用可能な具体的な給電制御機能の一例を実現するものである。
【０１０８】
＜ＷＥＢ画面＞
詳細には、図２７に示すように、実施の形態１２に係るＬＥＤ照明装置の照明制御システムでは、前記ＷＥＢ画面５２０は、給電制御装置２３０への指令出力のためのコマンド及び当該ＷＥＢ画面５２０への表示機能として、電力使用量確認コマンドＣ１１、電力使用量表示機能Ｃ１２、及び、タイマー設定機能Ｃ１３の各コマンド処理機能又は表示処理機能を実現する機能実現手段を備えている。電力使用量確認コマンドＣ１１は、給電制御装置２３０に接続したＬＥＤ照明装置６０の電力使用量を確認するためのコマンドであり、電力使用量表示機能Ｃ１２は、電力使用量確認コマンドＣ１１に応答して給電制御装置２３０が確認したＬＥＤ照明装置６０の電力使用量を、所定の表示画面に表示させるための機能であり、タイマー設定機能Ｃ１３は、設定した時間（時刻）に上記のような調光機能及び／又はオン・オフ機能を実現するためのコマンドである。
【０１０９】
＜給電制御装置＞
また、実施の形態１２に係るＬＥＤ照明装置の照明制御システムでは、給電制御装置２３０は、ＷＥＢ画面５２０の電力使用量確認コマンドＣ１１（及び電力使用量表示機能Ｃ１２）、並びに、タイマー設定機能Ｃ１３の各コマンドに対応する制御処理機能を実現する機能実現手段を備えている。詳細には、給電制御装置２３０は、外部計測機器６２０としての電力計６２１及び照度計６２２を接続し、電力計６２１が計測したＬＥＤ照明装置６０による消費電力量と、照度計６２２が計測した照度値とをリアルタイムで入力している。また、給電制御装置２３０は、電力使用量確認コマンドＣ１１に応答して、当該給電制御装置２３０に接続したＬＥＤ照明装置６０の電力使用量を確認し、電力使用量表示機能Ｃ１２に対応して、前記電力使用量確認機能Ｆ１１を使用して確認したＬＥＤ照明装置の電力使用量を、ＷＥＢ画面５２０の所定の表示領域に表示する機能を実現する機能実現手段を備えている。この場合、給電制御装置２３０は、電力使用量確認コマンドＣ１１に応答して、当該給電制御装置２３０に接続したＬＥＤ照明装置６０の電力使用量を前記電力計６２１から取得する。また、給電制御装置２３０は、これらの機能実現手段を使用して、電力使用量に応じて（典型的には、電力使用量が予定の使用量を超えた場合に）、一部のＬＥＤ照明装置６０を一定時間オフするオン・オフ制御処理機能（第１の節電処理機能）や、一部又は全部のＬＥＤ照明装置の光量を低下させる調光制御処理機能（第２の節電処理機能）を実現することもできる。或いは、給電制御装置２３０は、電力計６２１からの情報を取得することなく、自らの制御によるＬＥＤ照明装置６０の点灯状況（点灯時間）又はオン・オフ状況（オン時間又はオフ時間の長さ）を取得する点灯状況取得機能Ｆ１２と、自らの制御によるＬＥＤ照明装置６０の調光値を取得する調光値取得機能Ｆ１３とを利用して、それらの取得情報に基づき、所定の計算アルゴリズムを使用して、ＬＥＤ照明装置６０の電力使用量を計算して出力することもできる。
【０１１０】
また、給電制御装置２３０は、ＷＥＢ画面５２０のタイマー設定コマンドＣ１３に応答して、タイマーを設定するタイマー機能Ｆ１４を実現する機能実現手段を備えている。この場合、給電制御装置２３０は、ＷＥＢ画面５２０のタイマー設定コマンドＣ１３への応答時に、内蔵するクロック（ＣＬ）から現在時刻を取得する時刻取得機能Ｆ１５を利用して、タイマー機能Ｆ１４により設定時刻にＬＥＤ照明装置６０のオン・オフ機能Ｆ１６や調光機能Ｆ１７を実現するための制御機能を実現することができる。
【０１１１】
実施の形態１３
次に、上記実施の形態４〜実施の形態８のＬＥＤ照明装置の照明制御システムで使用可能な壁面スイッチの具体的構成について、実施の形１３として、図２８及び図２９を参照して説明する。まず、図２８に示すように、壁面スイッチＳＷ１は、例えば、建築物の一つの部屋のドアＤＲの側方の壁面Ｗに設けた開口に装着して固定される。図２８中の円形内の拡大図に示すように、壁面スイッチＳＷ１は、所定個数（図示の例では４個）のボタンＢＴを備えている。また、壁面スイッチＳＷ１は、ＬＡＮケーブルＬＣを介して給電側装置４３０のＳＷポートに接続される。なお、給電側装置４３０は、例えば、壁面スイッチＳＷ１を配設する部屋の天井裏等に配設することができる。また、給電側装置４３０は、ＬＡＮケーブルＬＮを介して、当該部屋の天井の下面等に配設したＬＥＤ照明装置６０に接続される。
【０１１２】
図２９に示すように、壁面スイッチＳＷは、４つのボタンＢＴ１，ＢＴ２，ＢＴ３，ＢＴ４を備え、その裏面に配設した制御基板ＳＢの制御により、各ボタンＢＴ１，ＢＴ２，ＢＴ３，ＢＴ４に（端末制御装置７０，７０Ｓからの指令に基づき給電制御装置２３０を使用して）割り当てられた所定の指令内容を表現する制御信号を出力するようになっている。また、壁面スイッチＳＷの制御基板ＳＢの裏面には、壁面スイッチＳＷからの出力用のＬＡＮポート部ＳＰが配設され、当該ＬＡＮポート部ＳＰのＬＡＮポートに接続したＬＡＮケーブルを介して、前記ボタンＢＴ１，ＢＴ２，ＢＴ３，ＢＴ４による制御信号を給電制御装置２３０のＳＷポートに入力するようになっている。なお、壁面スイッチＳＷの制御基板ＳＢは、端末制御装置７０からのＯＮ／ＯＦＦコマンドや調光コマンドと同様のコマンドを給電制御装置２３０に出力するための電子回路を実装したものである。
【０１１３】
ここで、図２８中に破線で示すように、壁面スイッチＳＷ１のＬＡＮポート部ＳＰには、２個のＬＡＮポートが設けられ、壁面スイッチＳＷ１の側方に、もう１個の壁面スイッチＳＷ２を配設してカスケード接続できるようになっている。詳細には、当該カスケード接続を実現するために、各壁面スイッチＳＷ（ＳＷ１，ＳＷ２）のＬＡＮポート部ＳＰには、２個のＬＡＮポートが設けられ、一方の壁面スイッチＳＷ１のＬＡＮポート部ＳＰの一方のＬＡＮポートを１本のＬＡＮケーブルＬＣを介して給電制御装置２３０の（２個ある）ＳＷポートの一方に接続すると共に、一方の壁面スイッチＳＷ１のＬＡＮポート部ＳＰの他方のＬＡＮポートと他方の壁面スイッチＳＷ２のＬＡＮポート部ＳＰの一方のＬＡＮポートとの間を１本のＬＡＮケーブルＬＣで接続し、更に、他方の壁面スイッチＳＷ２のＬＡＮポート部ＳＰの他方のＬＡＮポートを１本のＬＡＮケーブルＬＣを介して給電制御装置２３０の（２個ある）ＳＷポートの他方に接続する。これにより、上記したように、給電制御装置２３０により、カスケード接続した２つの壁面スイッチＳＷ１，ＳＷ２を利用して、壁面スイッチが１個の場合の２倍の個数のＬＥＤ照明装置６０の照明制御をおこなうことができる。
【０１１４】
実施の形態１４
次に、上記実施の形態４〜実施の形態８のＬＥＤ照明装置の照明制御システムに適用可能な、給電制御装置２３０への各種の設定処理機能の実現手段としての（前記ＷＥＢ画面５２０に相当する）ＷＥＢ画面６００の一例について、実施の形態１４として、図３０〜図３５を参照して説明する。図３０〜図３５に示すように、ＷＥＢ画面６００は、６個のコマンドメニューＭ１，Ｍ２，Ｍ３，Ｍ４，Ｍ５，Ｍ６を備え、コマンドメニューＭ１〜Ｍ６に応じた操作画面領域を表示するようになっている。
【０１１５】
＜Ｍａｐｐｉｎｇ  ｂｙ  Ｓｗｉｔｃｈ＞
例えば、図３０は、壁面スイッチの各ボタンに関連してコマンドを割り当てる第４のコマンドメニュー（Ｍａｐｐｉｎｇ  ｂｙ  Ｓｗｉｔｃｈ）Ｍ４を選択実行した場合を示し、この場合、操作画面領域Ｐ１には、ＷＥＢ画面５２０の指令対象となる給電制御装置２３０に接続した壁面スイッチ（図示の例の場合は２個の壁面スイッチＳＷ１，ＳＷ２）の各ボタン（各４個のボタン）ＢＴ１，ＢＴ２，ＢＴ３，ＢＴ４が表示されている。そして、ユーザーは、壁面スイッチＳＷ１，ＳＷ２のボタンＢＴ１〜ＢＴ４のうち、どのボタンＢＴ１〜ＢＴ４について設定を変更するかを選択することができ、例えば、図３０に示すように、壁面スイッチＳＷ１の第３のボタンＢＴ３（上側の列の左から３番目のボタン）をクリック等して選択することで、当該第３のボタンＢＴ３の表示色が（灰色等から緑色等の別色に）変更されると共に、当該第３のボタンＢＴ３について設定を変更することができる。この場合、図３１に示すように、ＷＥＢ画面５２０の操作画面領域Ｐ２には、壁面スイッチＳＷ１の第３のボタンＢＴ３について、当該壁面スイッチＳＷ１に割り当てた１２個のＬＥＤ照明装置６０への給電ポート（給電側装置２２０の１２個の給電用ＬＡＮポート）Ｌ１〜Ｌ１２が表示され、このうち、第３のボタンＢＴ３に割り当てたい給電ポートＬ１〜Ｌ１２をクリック等して選択することで、選択した給電ポートＬ１〜Ｌ１２を壁面スイッチＳＷ１の第３のボタンＢＴ３に割り当て、当該第３のボタンＢＴ３を押圧することにより、割り当てた給電ポートに接続するＬＥＤ照明装置６０を所定の照明態様で照明動作させることができる。例えば、図３１のように、第３のボタンＢＴ３に給電ポートＬ１、Ｌ３、Ｌ４、Ｌ９、Ｌ１０及びＬ１２を割り当てたい場合、壁面スイッチＳＷ１の第３のボタンＢＴ３をクリック等して選択することで、割り当てた給電ポートＬ１、Ｌ３、Ｌ４、Ｌ９、Ｌ１０及びＬ１２の表示色が（灰色等から緑色等の別色に）変更される。その後、壁面スイッチＳＷ１の第３のボタンＢＴ３を押圧等してオンすることで、割り当てた給電ポートＬ１、Ｌ３、Ｌ４、Ｌ９、Ｌ１０及びＬ１２に接続する合計６個のＬＥＤ照明装置６０又はＬＥＤ照明装置対６０Ｐを所定の照明態様で照明動作させることができる。
【０１１６】
＜Ｍａｐｐｉｎｇ  ｂｙ  Ｓｗｉｔｃｈ＞
図３２は、ＬＥＤ照明装置用の給電ポートに関連してコマンドを割り当てる第３のコマンドメニュー（Ｍａｐｐｉｎｇ  ｂｙ  Ｌｉｇｈｔ）Ｍ３を選択実行した場合を示し、この場合、操作画面領域Ｐ３には、ＷＥＢ画面５２０の指令対象となる給電制御装置２３０に接続したＬＥＤ照明装置用の給電ポート（図示の例の場合は１２個のＬＥＤ照明装置用の給電ポートＬ１〜Ｌ１２）が表示されている。そして、ユーザーは、給電ポートＬ１〜Ｌ１２のうち、どの給電ポートＬ１〜Ｌ１２を壁面スイッチＳＷ１，ＳＷ２の各ボタンＢＴ１〜ＢＴ４に割り当てるかを選択することができ、例えば、図３２に示すように、給電ポートＬ３をクリック等して選択することで、当該給電ポートＬ３の表示色が（灰色等から緑色等の別色に）変更されると共に、当該給電ポートＬ３を割り当てる壁面スイッチＳＷ１，ＳＷ２のボタンＢＴ１〜ＢＴ４について設定を変更することができる。この場合、図３３に示すように、ＷＥＢ画面５２０の操作画面領域Ｐ４には、給電ポートＬ３について、当該給電ポートＬ３を割り当てる２個のスイッチＳＷ１及びＳＷ２の各４個のボタンＢＴ１〜ＢＴ４が表示され、このうち、給電ポートＬ３を割り当てたいスイッチＳＷ１，ＳＷ２のボタンＢＴ１〜ＢＴ４をクリック等して選択することで、給電ポートＬ３を選択したスイッチＳＷ１，ＳＷ２のボタンＢＴ１〜ＢＴ４に割り当て、当該ボタンＢＴ３を押圧することにより、給電ポートＬ３に接続するＬＥＤ照明装置６０を所定の照明態様で照明動作させることができる。例えば、図３３のように、給電ポートＬ３を、スイッチＳＷ１のボタンＢＴ１及びボタンＢＴ２及びボタンＢＴ３と、壁面スイッチＳＷ２のボタンＢＴ１とに割り当てたい場合、壁面スイッチＳＷ１のボタンＢＴ１及びボタンＢＴ２及びボタンＢＴ３、並びに、壁面スイッチＳＷ２のボタンＢＴ２をクリック等して選択することで、スイッチＳＷ１のボタンＢＴ１及びボタンＢＴ２及びボタンＢＴ３と壁面スイッチＳＷ２のボタンＢＴ１の表示色が（灰色等から緑色等の別色に）変更される。その後、壁面スイッチＳＷ１のボタンＢＴ１若しくはボタンＢＴ２若しくはボタンＢＴ３のいずれか、又は、壁面スイッチＳＷ２のボタンＢＴ２を押圧等してオンすると、割り当てた給電ポートＬ３に接続するＬＥＤ照明装置６０又はＬＥＤ照明装置対６０Ｐを所定の照明態様で照明動作させることができる。即ち、第３のコマンドメニュー（Ｍａｐｐｉｎｇ  ｂｙ  Ｌｉｇｈｔ）Ｍ３は、どの給電ポートがどの壁面スイッチＳＷのどのボタンＢＴに所属するか（接続するか）を変更するものであり、どの壁面スイッチＳＷのどのボタンＢＴがどの給電ポートに接続するかを変更する第４のコマンドメニュー（Ｍａｐｐｉｎｇ  ｂｙ  Ｓｗｉｔｃｈ）Ｍ４とは逆のアプローチによるコマンドとなる。
【０１１７】
＜Ｏｖｅｒｖｉｅｗ＞
図３４は、現在の給電ポートのステータスを確認するための第１のコマンドメニュー（Ｏｖｅｒｖｉｅｗ）Ｍ１を選択実行した場合を示し、この場合、操作画面領域Ｐ５には、給電制御装置２３０に接続する全てのＬＥＤ照明装置６０の給電ポートＬ１〜Ｌ１２の点灯状況がステータス情報（オン・オフ情報）として表示される。即ち、この場合、現在点灯中のＬＥＤ照明装置６０が接続する給電ポート（図３４の例の場合、給電ポートＬ１，Ｌ３．Ｌ８）の表示色が（灰色等から緑色等の別色に）変更して表示される。なお、第１のコマンドメニュー（Ｏｖｅｒｖｉｅｗ）Ｍ１では、所望の給電ポートＬ１〜Ｌ１２を選択することにより、当該選択した給電ポートＬ１〜Ｌ１２に接続するＬＥＤ照明装置６０をオン・オフ動作することができる。
【０１１８】
＜Ｓｗｉｔｃｈｅｓ＞
図３５は、現在の壁面スイッチＳＷのボタンＢＴ１〜ＢＴ４のオン・オフ状況を確認するための第２のコマンドメニュー（Ｓｗｉｔｃｈｅｓ）Ｍ２を選択実行した場合を示し、この場合、操作画面領域Ｐ６には、給電制御装置２３０に接続する全ての壁面スイッチＳＷ１，ＳＷ２のボタンＢＴ１〜ＢＴ４のオン・オフ状況がステータス情報（オン・オフ情報）として表示される。即ち、この場合、現在オン状態となっている壁面スイッチＳＷ１，ＳＷ２のボタンＢＴ１〜ＢＴ４の表示色が（灰色等から緑色等の別色に）変更して表示される（図３５の例の場合、全てのボタンＢＴ１〜ＢＴ４がオフ状態にある）。
【０１１９】
［発明の作用効果］
本発明に係るＬＥＤ照明装置の照明制御システムは、上記のとおり、給電側装置２３０又は設定済み電力給電装置４３０に中央処理装置からなる主制御部等の制御のための構成を実装しているため、イーサネット毎にＬＥＤ照明装置６０を所望の照明態様とするために必要なパラメータ値を容易に変更して設定したり、必要なプログラムをファームウエアとして実装したりすることができ、また、この設定パラメータ値やプログラムを使用して、ＬＥＤ照明装置６０の光量等を含む照明態様を簡単に変更することができる。また、本発明のＬＥＤ照明装置の照明制御システムによれば、ＬＡＮケーブルによる接続長として、最大で３００ｍの接続長を実現することもでき、実用的な接続長としても、最大１００ｍの接続長を実現することができる。
【０１２０】
［制御対象（制御機器）・接続対象（接続機器）］
本発明のシステムの給電側装置３０，２２０による制御対象（制御機器）又は接続対象（接続機器）は、ＬＥＤ照明装置６０であるが、特に、実施の形態４以降のＬＥＤ照明装置の照明制御システムの給電側装置２２０は、通常のＰｏＥ給電のようにＰＤとしての受電側装置２５０やＬＥＤ照明装置６０の接続検出動作やクラス判別動作を行わない一方で、給電側装置２３０の仕様や設計を、接続するＬＥＤ照明装置６０の仕様や定格等に合わせた仕様や設計とすることで、当該ＬＥＤ照明装置６０の給電動作に支障をきたすことはない（即ち、事前に、接続対象のＬＥＤ照明装置の定格電圧や定格電流等が把握できているため、安全性の点でも不具合を生じることはない）。また、特に、実施の形態４以降の給電側装置２２０又は設定済見電力給電装置４３０は、制御対象（制御機器）・接続対象（接続機器）として、ＬＥＤ照明装置６０以外のＬＡＮケーブルによるイーサネット接続が可能な任意の電子機器に適用することも可能である（即ち、本発明は、ＬＡＮケーブルによる接続可能な電子機器の給電制御システムとして具体化することも可能である）。
【０１２１】
［用語の定義等］
実施の形態４の設定済み直流電力給電装置は、実施の形態１〜３の信号・電力送受装置に相当するものであり、本発明に係るＬＥＤ照明装置の照明制御システムでは、便宜上、設定済み直流電力給電装置及び信号・電力送受装置を総称して、「直流電力給電装置」と称する。
【０１２２】
［実施の形態１〜３の発明］
また、実施の形態１〜３の発明に係るＬＥＤ照明装置の照明制御システムは、上記のとおり、直流電力を供給する給電装置を給電側装置の外部に備える場合のほか、同様の直流電源装置を給電側装置と一体に所定の筺体内に配設する態様で、或いは、給電側装置自体の筺体に内蔵する態様で設けることもできる。また、コンピュータ装置からなる端末制御装置は、通常のＰＣ等のほか、携帯電話やスマートフォン等の携帯端末型のコンピュータ装置（携帯端末装置）から構成することもできる。更に、直流電力給電装置としての信号・電力送受装置は、給電装置を外部に設けた場合或いは給電装置と一体で筺体内に設けた場合は、給電装置に給電線を介して接続されると共に、端末制御装置に第１のＬＡＮケーブルを介して接続される。また、受電側装置は、直流電力給電装置としての信号・電力送受装置に第２のＬＡＮケーブルを介して接続される。更に、端末制御装置は、前記ＬＥＤ照明装置に所定の照明動作を実行させるための所定の制御信号を出力する機能を実現する制御信号出力手段を含む。また、直流電力給電装置としての信号・電力送受装置は、給電線を介して給電装置からの直流電力を受電すると共に、第１のＬＡＮケーブルを介して端末制御装置の制御信号出力手段からの制御信号を受信し、第２のＬＡＮケーブルを介して受電側装置に直流電力を給電すると共に、当該第２のＬＡＮケーブルを介して受電側装置に端末制御装置の出力手段からの前記制御信号を中継して送信する。更に、受電側装置は、前記第２のＬＡＮケーブルを介して信号・電力送受装置から受信した制御信号に基づき、給電線を介して、ＬＥＤ照明装置に当該制御信号に応じた所定の照明態様の動作を実行させるための制御状態の直流電力を給電する機能を実現する受電制御手段（受電制御装置）を含む。
【０１２３】
［実施の形態４〜１４の発明］
一方、実施の形態４〜１４の発明に係るＬＥＤ照明装置の照明制御システムでは、端末制御装置は、各種の機能実現手段を備え、各機能実現手段は、ＣＰＵ等の中央処理装置、ＲＯＭ及びＲＡＭ等の記憶装置（メモリー）等からなるハードウエア資源と、記憶装置に記憶したプログラムからなるソフトウエ資源との協働により機能を実現する機能実現手段として構成することができる。詳細には、端末制御装置は、ローカルエリアネットワーク用の所定の通信プロトコル（典型的にはｈｔｔｐ）を使用して、前記第１のＬＡＮケーブルを介して前記（設定済み）直流電力給電装置に対して信号を出力する機能を実現する通信手段を備える。この通信手段は、例えば、通信用インタフェース装置等のハードウエア資源や通信用プログラム等のソフトウエア資源からなる通信手段又は信号伝送手段とすることができる。また、端末制御装置は、ＬＥＤ照明装置が所定の照明動作を実行するために必要な直流電力のパラメータ値及び／又は必要な処理手順を指令する照明動作指令を作成する機能を実現する照明動作指令作成手段を備える。この照明動作指令作成手段は、例えば、端末制御装置の記憶装置の所定の記憶領域に格納した所定の指令作成手順を記述したプログラムからなるソフトウエア資源と、端末制御装置の中央処理装置や記憶装置等のハードウエア資源とから構成することができる。
【０１２４】
また、実施の形態４〜１４の発明に係るＬＥＤ照明装置の照明制御システムでは、端末制御手段は、前記照明動作指令作成手段により前記照明動作指令を作成するために必要な情報を表示する照明動作指令作成用の操作画面を所定のディスプレイ装置にユーザーインタフェースとして画面表示する機能を実現する照明動作作成用ユーザーインタフェース手段を備える。前記操作画面に表示する情報としては、コマンドメニューや、（ハードウエアとしての）壁面スイッチや壁面スイッチのボタンや給電側装置の給電ポートに対応する（クリック等の選択動作自在なソフトウエアとしての）ボタン類、それらのタイトル、それらの選択状況等を表示する表示部等がある。また、ユーザーインタフェース（ＵＩ）は、特に、グラフィカルユーザーインタフェース（ＧＵＩ）とすることが好ましい。前記照明動作作成用ユーザーインタフェース手段は、例えば、端末制御装置の記憶装置の所定の記憶領域に格納した予め作成した（動的ウエブページを含むウエブページ等のウエブコンテンツからなる）指令作成用ユーザーインタフェースや指令作成用ユーザーインタフェースの表示手順を記述したプログラム等御からなるソフトウエア資源と、端末制御装置の中央処理装置や記憶装置等のハードウエア資源とから構成することができる。  
【０１２５】
また、端末制御装置は、照明動作指令作成手段により作成した照明動作指令を通信手段により第１のＬＡＮケーブルを介して直流電力給電装置に伝送する機能を実現する指令伝送手段を備える。指令伝送手段は、例えば、端末制御装置の記憶装置の所定の記憶領域に格納した、照明動作指令に対応する選択項目を表示してユーザーによる選択操作を自在とする（動的ウエブページを含むウエブページ等のウエブコンテンツからなる）指令送信用ユーザーインタフェースと、指令送信用ユーザーインタフェースの表示手順を記述したプログラムとからなるソフトウエア資源と、端末制御装置の中央処理装置や記憶装置等のハードウエア資源とから構成することができる。また、端末制御装置は、照明動作指令作成手段により作成した複数の照明動作指令（のうちのいずれか一つ以上）を選択自在とし、選択した照明動作指令を通信手段により第１のＬＡＮケーブルを介して前記直流電力給電装置に送信して、当該照明動作指令に応じた動作（動作開始）を直流電力給電装置に指令する機能を実現する動作指令手段を備える。動作指令手段は、例えば、端末制御装置の記憶装置の所定の記憶領域に格納した、前記照明動作指令に対応する選択項目を表示してユーザーによる選択操作を自在とする（動的ウエブページを含むウエブページ等のウエブコンテンツからなる）指令送信用ユーザーインタフェースと、指令送信用ユーザーインタフェースの表示手順を記述したプログラムとからなるソフトウエア資源と、端末制御装置の中央処理装置や記憶装置等のハードウエア資源と、前記通信手段等とから構成することができる。なお、前記操作画面は上記実施の形態で述べたＷＥＢ画面５２０に相当するＷＥＢ画面からなる。
【０１２６】
直流電力給電装置は、第１のＬＡＮケーブルを介して端末制御装置の前記指令伝送手段から伝送された前記照明動作指令（制御信号としての指令乃至コマンド信号）を受信し、照明動作指令に応じた所定の照明態様でＬＥＤ照明装置を照明動作するために必要な直流電力のパラメータ値及び／又は必要な処理手順からなる照明動作情報を設定して所定の記憶領域に記憶する機能を実現する照明動作情報設定手段を備える。照明動作情報設定手段は、典型的には、給電制御装置２３０の主制御部２３１及び設定記憶部２３２からなるハードウエア資源及びソフトウエア資源から構成することができる。また、直流電力給電装置は、第１のＬＡＮケーブルを介して端末制御装置の動作指令手段から送信された照明動作指令を受信し、照明動作情報設定手段により設定記憶した照明動作情報のうち、当該受信した照明動作指令に対応する照明動作情報を選択して呼び出し、当該呼び出した照明動作情報に基づいて、受信した照明動作指令に応じた所定の照明態様でＬＥＤ照明装置を照明動作するために必要な所定の電力パラメータ値を有する直流電力を、設定済み直流電力として前記第２のＬＡＮケーブルを介して前記受信側装置に供給する機能を実現する設定済み電力供給制御手段を備える。設定済み電力供給制御手段は、例えば、ＬＥＤ電源装置からの直流電力を当該設定済み直流電力に変換して受信側装置に供給するものであり、典型的には、給電制御装置２３０の主制御部２３１及び設定記憶部２３２と、電圧制御部２３３、電圧検出部２３４、電流検出部２３５、ＯＮ／ＯＦＦ部２３６、調光部２３７、照明態様制御部２３８、定電流制御部２３９からなるハードウエア資源及びソフトウエア資源から構成することができる。
【０１２７】
受信側装置は、それぞれ、前記直流電力給電装置から前記第２のＬＡＮケーブルを介して供給された前記設定済み直流電力を、前記所定の電力パラメータ値を変更することなく（即ち、内部抵抗や寄生抵抗等による内部損失等を除いて、電圧値や電流値等の変更を実質的に行うことなく、即ち、そのような目的の電気・電子素子やその他の制御素子を設けることなく）前記給電線を介して前記ＬＥＤ照明装置に供給し、前記ＬＥＤ照明装置を前記設定済み直流電力による前記照明動作指令に応じた所定の照明態様で照明動作させる。
【０１２８】
＜別例＞
上記実施の形態４〜１４の発明に係るＬＥＤ照明装置の照明制御システムでは、端末制御装置の前記照明動作指令作成手段は、第１のＬＡＮケーブルを介して接続する一つの前記直流電力給電装置について、当該一つの直流電力給電装置に接続可能な第２のＬＡＮケーブルの最大数（ＬＡＮケーブルの最大本数、即ち、最大ポート数）の範囲内で、異なる種類の所定数の（ＬＡＮケーブルの最大本数までの範囲内の所定数（単数又は複数）の）照明動作指令を作成自在であると共に、作成した当該異なる種類の所定数の照明動作指令を、それぞれ、一つの直流電力給電装置に接続した第２のＬＡＮケーブルの１本以上に割り当て自在である。また、前記端末制御手段の前記動作指令手段は、異なる種類の所定数の照明動作指令を通信手段により第１のＬＡＮケーブルを介して直流電力給電装置に送信して、当該異なる種類の所定数の照明動作指令に応じた動作を直流電力給電装置に指令自在である。また、直流電力給電装置の前記照明動作設定手段は、（前記端末制御装置の照明動作指令作成手段が作成した）異なる種類の所定数の照明動作指令の各々に応じて照明動作情報を設定して前記記憶領域に記憶自在である。また、直流電力給電装置の設定済み電力供給制御手段は、端末制御装置の前記動作指令手段の動作指令に応答して、設定済み直流電力として、照明操作指令の所定数と同数の所定数の異なる設定済み直流電力を生成自在であり、当該所定数の設定済み直流電力の各々を、第２のＬＡＮケーブルのうち、各設定済み直流電力に対応する照明動作指令が割り当てられた第２のＬＡＮケーブルに選択的に供給し、各設定済み直流電力を当該選択した第２のＬＡＮケーブルを介して当該第２のＬＡＮケーブルに接続する受電側装置に個別に供給自在であり、これにより、複数の受電側装置に接続する複数のＬＥＤ照明装置を、照明動作指令の所定数と同数の所定数の異なる照明態様で照明動作自在である。この構成により、ＬＥＤ照明装置を、ユニット単位、グループ単位に、個別単位等の任意の単位で、多様な照明動作を行わせることができ、照明態様のバリエーションを大幅に増加することができる。
【符号の説明】
【０１２９】
１０，１０Ａ，１０Ｂ：給電装置、１５，１１，６５，１０５：給電線
２５，３５，７５：ＬＡＮケーブル
３０，９０，１６０：給電側装置、３１：給電制御装置
４０，１４０，１７０：受電側装置、５０，１５０：受電制御装置
５１：主制御部、５２：アドレス部、５３：ＯＮ／ＯＦＦ部、５５：照明態様制御部、
５６：ＤＣ／ＤＣ昇圧部、５７：定電流制御部
６０：ＬＥＤ照明装置、７０：端末制御装置、９０：信号・電力送受装置
２２０：給電側装置、２３０：給電制御装置、２３１：主制御部、２３２：設定記憶部
２５０：受電側装置、２５１：ＬＡＮポート、２５２：給電ポート、ＣＬ：導線
３５０：受電側装置、３５１：基板、３５３：ＬＡＮポート部
３５３ａ：ＬＡＮポート、３５４：給電ポート部、３５４ａ：給電ポート
４３０：給電話装置
【図１】
0006054125.tif 000002
【図２】
0006054125.tif 000003
【図３】
0006054125.tif 000004
【図４】
0006054125.tif 000005
【図５】
0006054125.tif 000006
【図６】
0006054125.tif 000007
【図７】
0006054125.tif 000008
【図８】
0006054125.tif 000009
【図９】
0006054125.tif 000010
【図１０】
0006054125.tif 000011
【図１１】
0006054125.tif 000012
【図１２】
0006054125.tif 000013
【図１３】
0006054125.tif 000014
【図１４】
0006054125.tif 000015
【図１５】
0006054125.tif 000016
【図１６】
0006054125.tif 000017
【図１７】
0006054125.tif 000018
【図１８】
0006054125.tif 000019
【図１９】
0006054125.tif 000020
【図２０】
0006054125.tif 000021
【図２１】
0006054125.tif 000022
【図２２】
0006054125.tif 000023
【図２３】
0006054125.tif 000024
【図２４】
0006054125.tif 000025
【図２５】
0006054125.tif 000026
【図２６】
0006054125.tif 000027
【図２７】
0006054125.tif 000028
【図２８】
0006054125.tif 000029
【図２９】
0006054125.tif 000030
【図３０】
0006054125.tif 000031
【図３１】
0006054125.tif 000032
【図３２】
0006054125.tif 000033
【図３３】
0006054125.tif 000034
【図３４】
0006054125.tif 000035
【図３５】
0006054125.tif 000036